(57)【要約】【課題】  無線通信環境に依存することなく、周波数ホッピング動作を送信側と受信側との間で安定して行えるようにする。【解決手段】  ホッピング制御装置１１３は、ホッピングパターンＰ１〜ＰＮの中から１つのホッピングパターンを選択し、選択したホッピングパターンに配列されたホッピング周波数系列を周波数ホッピングパターンメモリ１１２から読み出し、そのホッピング周波数系列を周波数指定信号として所定の周期で周波数シンセサイザ１１４、１１５に有線にて送出し、周波数シンセサイザ１１４、１１５は、周波数指定信号で特定される周波数の局部発振信号をそれぞれ生成し、混合器１０３、１０９にそれぞれ出力することにより、周波数ホッピング方式による通信を第１筐体部Ｋ１１と第２筐体部１２との間で行う。【選択図】      図４
2006180453.tif 000002
【特許請求の範囲】
【請求項１】
所定の周波数ホッピングシーケンスに従って送信データの送信処理を行う無線送信部と、
所定の周波数ホッピングシーケンスに従って受信データの受信処理を行う無線受信部と、
前記周波数ホッピングシーケンスに従って周波数ホッピングを行わせるための情報を前記無線送信部および前記無線受信部の双方に有線で送出するホッピング制御部とを備えることを特徴とする無線通信端末。
【請求項２】
第１の周波数ホッピングシーケンスに従って送信データの送信処理を行う第１無線送信部と、
前記第１の周波数ホッピングシーケンスに従って受信データの受信処理を行う第１無線受信部と、
前記第１の周波数ホッピングシーケンスで特定されるホッピング周波数と重ならないように送信時のホッピング周波数が設定された第２の周波数ホッピングシーケンスに従って送信データの送信処理を行う第２無線送信部と、
前記第２の周波数ホッピングシーケンスに従って受信データの受信処理を行う第２無線受信部と、
前記第１の周波数ホッピングシーケンスに従って周波数ホッピングを行わせるための情報を前記第１無線送信部および前記第１無線受信部の双方に有線で送出するとともに、前記第２の周波数ホッピングシーケンスに従って周波数ホッピングを行わせるための情報を前記第２無線送信部および前記第２無線受信部の双方に有線で送出するホッピング制御部とを備えることを特徴とする無線通信端末。
【請求項３】
前記ホッピング制御部は、
互いに重ならないようにホッピング周波数が配列されたホッピングパターンを取得するホッピングパターン取得部と、
前記ホッピングパターンに含まれるホッピング周波数の出力を１スロット分だけ遅延させるホッピングパターン遅延部とを備え、
前記ホッピングパターン取得部にて取得されたホッピングパターンを所定のホッピングタイミングに従って前記第１無線送信部および前記第１無線受信部の双方に有線で送出するとともに、前記ホッピングパターン遅延部から出力されたホッピングパターンを前記ホッピングタイミングに従って前記第２無線送信部および前記第２無線受信部の双方に有線で送出することを特徴とする請求項２記載の無線通信端末。
【請求項４】
データ通信のデータ量に基づいてスロット長を設定するスロット長設定部をさらに備え、
前記ホッピング制御部は、前記スロット長設定部にて設定されたスロット長に基づいて、通信時のホッピング周波数を変更することを特徴とする請求項１から３のいずれか１項記載の無線通信端末。
【請求項５】
前記第１および第２無線送信部ならびに前記第１および第２無線受信部は、同一半導体チップ内、同一プリント基板上または同一筐体内または同一モジュール内または同一パッケージ内または一体的に使用される機器内に配置されていることを特徴とする請求項２から４のいずれか１項記載の無線通信端末。
【請求項６】
所定の周波数ホッピングシーケンスに従って送信データの送信処理を行う無線送信部と、
所定の周波数ホッピングシーケンスに従って受信データの受信処理を行う無線受信部と、
前記無線送信部における周波数ホッピング制御を行う第１ホッピング制御部と、
前記無線受信部における周波数ホッピング制御を行う第２ホッピング制御部と、
前記無線送信部および前記無線受信部の周波数ホッピングシーケンスが一致するように、前記第１ホッピング制御部と前記第２ホッピング制御部との間で有線にて制御を行う有線制御部とを備えることを特徴とする無線通信端末。
【請求項７】
前記第１ホッピング制御部側に設けられ、ホッピング周波数が配列されたホッピングパターンを記憶する第１ホッピングパターン記憶部と、
前記第２ホッピング制御部側に設けられ、前記第１ホッピングパターン記憶部に記憶されたホッピングパターンと同一のホッピングパターンを記憶する第２ホッピングパターン記憶部とを備え、
前記有線制御部は、前記無線送信部と前記無線受信部との間のホッピングパターンおよびホッピングタイミングがそれぞれ一致するように、ホッピングパターンの選択と初期位相の設定を通信開始時に行うことを特徴とする請求項６記載の無線通信端末。
【請求項８】
前記第１ホッピング制御部は、ホッピング周波数が配列されたホッピングパターンを生成する第１ホッピングパターン生成部を備え、
前記第２ホッピング制御部は、前記第１ホッピングパターン生成部にて生成されるホッピングパターンと同一のホッピングパターンを生成する第２ホッピングパターン生成部を備え、
前記有線制御部は、前記ホッピングパターンのホッピングタイミングを一致させるリセット信号を前記第１ホッピング制御部と前記第２ホッピング制御部との間で送出させることを特徴とする請求項６記載の無線通信端末。
【請求項９】
データ通信のデータ量に基づいてスロット長を設定するスロット長設定部をさらに備え、
前記第１および第２ホッピング制御部のいずれか少なくとも一方は、前記スロット長設定部にて設定されたスロット長に基づいて、通信時のホッピング周波数を変更することを特徴とする請求項６から８のいずれか１項記載の無線通信端末。
【請求項１０】
前記無線受信部にて受信された受信データの誤り率を検出する誤り率検出部と、
前記誤り率検出部にて検出された誤り率に基づいて、前記周波数ホッピングシーケンスを変更するホッピングシーケンス変更部とをさらに備えることを特徴とする請求項６から９のいずれか１項記載の無線通信端末。
【請求項１１】
局部発振信号を生成する局部発振器と、
前記局部発振信号の供給を受けながら無線通信データの送信処理を行う無線送信部と、
前記局部発振信号の供給を受けながら無線通信データの受信処理を行う無線受信部と、
前記局部発振信号を前記無線送信部および前記無線受信部に有線にて供給する有線部とを備えることを特徴とする無線通信端末。
【請求項１２】
前記局部発振器にて生成される局部発振信号の周波数を制御する周波数制御部をさらに備えることを特徴とする請求項１１記載の無線通信端末。
【請求項１３】
局部発振信号の供給を受けながら無線通信データの送信処理を行う無線送信部と、
前記局部発振信号の供給を受けながら無線通信データの受信処理を行う無線受信部と、
前記局部発振信号を生成する局部発振器と、
前記局部発振器にて生成される局部発振信号の周波数のホッピングまたはチャーピングを行わせる制御部と、
前記ホッピングまたはチャーピングにて周波数が変化する局部発振信号を前記無線送信部および前記無線受信部に有線にて供給する有線部とを備えることを特徴とする無線通信端末。
【請求項１４】
前記無線送信部は、
前記局部発振信号の周波数を逓倍することにより第１キャリア信号を生成する第１周波数逓倍回路と、
前記第１キャリア信号をベースバンド信号に混合することにより、前記ベースバンド信号のアップコンバートを行う第１混合器とを備え、
前記無線受信部は、
前記局部発振信号の周波数を逓倍することにより検波信号を生成する第２周波数逓倍回路と、
前記検波信号を受信信号に混合することにより、前記受信信号のダウンコンバートを行う第２混合器とを備えることを特徴とする請求項１３記載の無線通信端末。
【請求項１５】
前記無線受信部にて受信された受信データの誤り率を検出する誤り率検出部をさらに備え、
前記制御部は、前記誤り率検出部にて検出された誤り率に基づいて、通信時のホッピング周波数またはチャーピング周波数を変更することを特徴とする請求項１３または１４記載の無線通信端末。
【請求項１６】
前記無線送信部および前記無線受信部は、同一半導体チップ内、同一プリント基板上または同一筐体内または同一モジュール内または同一パッケージ内または一体的に使用される機器内に配置されていることを特徴とする請求項６から１５のいずれか１項記載の無線通信端末。
【請求項１７】
第１局部発振信号の供給を受けながら無線通信データの送信処理を行う第１無線送信部と、
前記第１局部発振信号の供給を受けながら無線通信データの受信処理を行う第１無線受信部と、
前記第１局部発振信号を生成する第１局部発振器と、
第２局部発振信号の供給を受けながら無線通信データの送信処理を行う第２無線送信部と、
前記第２局部発振信号の供給を受けながら無線通信データの受信処理を行う第２無線受信部と、
前記第２局部発振信号を生成する第２局部発振器と、
前記第１および第２局部発振器から出力される周波数が互いに重ならないように、前記第１および第２局部発振器にてそれぞれ生成される第１および第２局部発振信号の周波数のホッピングまたはチャーピングを行わせる制御部と、
前記ホッピングまたはチャーピングにて周波数が変化する第１局部発振信号を前記第１無線送信部および前記第１無線受信部に有線にて供給する第１有線部と、
前記ホッピングまたはチャーピングにて周波数が変化する第２局部発振信号を前記第２無線送信部および前記第２無線受信部に有線にて供給する第２有線部とを備えることを特徴とする無線通信端末。
【請求項１８】
前記第１無線受信部および前記第２無線受信部のいずれか少なくとも一方にて受信された受信データの誤り率を検出する誤り率検出部をさらに備え、
前記制御部は、前記誤り率検出部にて検出された誤り率に基づいて、通信時のホッピング周波数またはチャーピング周波数を変更することを特徴とする請求項１７記載の無線通信端末。
【請求項１９】
データ通信のデータ量に基づいてスロット長を設定するスロット長設定部をさらに備え、
前記制御部は、前記スロット長設定部にて設定されたスロット長に基づいて、通信時のホッピング周波数またはチャーピング周波数を変更することを特徴とする請求項１７または１８記載の無線通信端末。
【請求項２０】
前記第１および第２無線送信部ならびに前記第１および第２無線受信部は、同一半導体チップ内、同一プリント基板上または同一筐体内または同一モジュール内または同一パッケージ内または一体的に使用される機器内に配置されていることを特徴とする請求項１７から１９のいずれか１項記載の無線通信端末。
【請求項２１】
第１筐体部と、
前記第１筐体部に連結された第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、前記外部無線通信用アンテナを介して行われる外部無線通信の制御を主として司る外部無線通信制御部と、
前記第２筐体部に搭載された表示部と、
前記第１筐体部に搭載された第１の内部無線通信用アンテナと、
前記第２筐体部に搭載された第２の内部無線通信用アンテナと、
前記第１筐体部に搭載され、所定の周波数ホッピングシーケンスに従って内部無線通信処理を行う第１の内部無線通信制御部と、
前記第２筐体部に搭載され、所定の周波数ホッピングシーケンスに従って内部無線通信処理を行う第２の内部無線通信制御部と、
前記周波数ホッピングシーケンスに従って周波数ホッピングを行わせるための情報を前記第１および第２の内部無線通信制御部の双方に有線で送出するホッピング制御部とを備えることを特徴とする無線通信端末。
【請求項２２】
同一半導体チップに形成された第１および第２回路ブロックと、
前記第１回路ブロックに対応して前記半導体チップに形成された第１の内部無線通信用アンテナと、
前記第２回路ブロックに対応して前記半導体チップに形成された第２の内部無線通信用アンテナと、
前記第１回路ブロックに対応して前記半導体チップに搭載され、前記第１および第２回路ブロック間におけるデータ伝送を所定の周波数ホッピングシーケンスに従って内部無線通信にて行う第１の内部無線通信制御部と、
前記第２回路ブロックに対応して前記半導体チップに搭載され、前記第１および第２回路ブロック間におけるデータ伝送を所定の周波数ホッピングシーケンスに従って内部無線通信にて行う第２の内部無線通信制御部と、
前記周波数ホッピングシーケンスに従って周波数ホッピングを行わせるための情報を前記第１および第２の内部無線通信制御部の双方に有線で送出するホッピング制御部とを備えることを特徴とする無線通信端末。
【請求項２３】
実装基板上に実装された第１および第２半導体チップと、
前記第１半導体チップに形成された第１の内部無線通信用アンテナと、
前記第２半導体チップに形成された第２の内部無線通信用アンテナと、
前記第１半導体チップに搭載され、前記第１および第２半導体チップ間におけるデータ伝送を所定の周波数ホッピングシーケンスに従って内部無線通信にて行う第１の内部無線通信制御部と、
前記第２半導体チップに搭載され、前記第１および第２半導体チップ間におけるデータ伝送を所定の周波数ホッピングシーケンスに従って内部無線通信にて行う第２の内部無線通信制御部と、
前記周波数ホッピングシーケンスに従って周波数ホッピングを行わせるための情報を前記第１および第２の内部無線通信制御部の双方に有線で送出するホッピング制御部とを備えることを特徴とする無線通信端末。
【請求項２４】
第１半導体チップが実装された第１実装基板と、
第２半導体チップが実装された第２実装基板と、
前記第１実装基板上に形成され、前記第１半導体チップに接続された第１の内部無線通信用アンテナと、
前記第２実装基板上に形成され、前記第２半導体チップに接続された第２の内部無線通信用アンテナと、
前記第１半導体チップに搭載され、前記第１および第２実装基板間におけるデータ伝送を所定の周波数ホッピングシーケンスに従って内部無線通信にて行う第１の内部無線通信制御部と、
前記第２半導体チップに搭載され、前記第１および第２実装基板間におけるデータ伝送を所定の周波数ホッピングシーケンスに従って内部無線通信にて行う第２の内部無線通信制御部と、
前記周波数ホッピングシーケンスに従って周波数ホッピングを行わせるための情報を前記第１および第２の内部無線通信制御部の双方に有線で送出するホッピング制御部とを備えることを特徴とする無線通信端末。
【請求項２５】
第１筐体部と、
前記第１筐体部に連結された第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、前記外部無線通信用アンテナを介して行われる外部無線通信の制御を主として司る外部無線通信制御部と、
前記第２筐体部に搭載された表示部と、
前記第１筐体部に搭載された第１の内部無線通信用アンテナと、
前記第２筐体部に搭載された第２の内部無線通信用アンテナと、
前記第１筐体部に搭載され、局部発振信号の供給を受けながら内部無線通信処理を行う第１の内部無線通信制御部と、
前記第２筐体部に搭載され、前記局部発振信号の供給を受けながら内部無線通信処理を行う第２の内部無線通信制御部と、
前記局部発振信号を生成する局部発振器と、
前記局部発振器にて生成される局部発振信号の周波数のホッピングまたはチャーピングを行わせる制御部と、
前記ホッピングまたはチャーピングにて周波数が変化する局部発振信号を前記第１および第２の内部無線通信制御部の双方に有線にて供給する有線部とを備えることを特徴とする無線通信端末。
【請求項２６】
同一半導体チップに形成された第１および第２回路ブロックと、
前記第１回路ブロックに対応して前記半導体チップに形成された第１の内部無線通信用アンテナと、
前記第２回路ブロックに対応して前記半導体チップに形成された第２の内部無線通信用アンテナと、
局部発振信号を生成する局部発振器と、
前記局部発振器にて生成される局部発振信号の周波数のホッピングまたはチャーピングを行わせる周波数制御部と、
前記第１回路ブロックに対応して前記半導体チップに搭載され、前記周波数制御部にて周波数が制御された局部発振信号の供給を有線にて受けながら、前記第１および第２回路ブロック間におけるデータ伝送を内部無線通信にて行う第１の内部無線通信制御部と、
前記第２回路ブロックに対応して前記半導体チップに搭載され、前記周波数制御部にて周波数が制御された局部発振信号の供給を有線にて受けながら、前記第１および第２回路ブロック間におけるデータ伝送を内部無線通信にて行う第２の内部無線通信制御部とを備えることを特徴とする無線通信端末。
【請求項２７】
実装基板上に実装された第１および第２半導体チップと、
前記第１半導体チップに形成された第１の内部無線通信用アンテナと、
前記第２半導体チップに形成された第２の内部無線通信用アンテナと、
局部発振信号を生成する局部発振器と、
前記局部発振器にて生成される局部発振信号の周波数のホッピングまたはチャーピングを行わせる周波数制御部と、
前記第１半導体チップに搭載され、前記周波数制御部にて周波数が制御された局部発振信号の供給を有線にて受けながら、前記第１および第２半導体チップ間におけるデータ伝送を内部無線通信にて行う第１の内部無線通信制御部と、
前記第２半導体チップに搭載され、前記周波数制御部にて周波数が制御された局部発振信号の供給を有線にて受けながら、前記第１および第２半導体チップ間におけるデータ伝送を内部無線通信にて行う第２の内部無線通信制御部とを備えることを特徴とする無線通信端末。
【請求項２８】
第１半導体チップが実装された第１実装基板と、
第２半導体チップが実装された第２実装基板と、
前記第１実装基板上に形成され、前記第１半導体チップに接続された第１の内部無線通信用アンテナと、
前記第２実装基板上に形成され、前記第２半導体チップに接続された第２の内部無線通信用アンテナと、
局部発振信号を生成する局部発振器と、
前記局部発振器にて生成される局部発振信号の周波数のホッピングまたはチャーピングを行わせる周波数制御部と、
前記第１半導体チップに搭載され、前記周波数制御部にて周波数が制御された局部発振信号の供給を有線にて受けながら、前記第１および第２実装基板間におけるデータ伝送を内部無線通信にて行う第１の内部無線通信制御部と、
前記第２半導体チップに搭載され、前記周波数制御部にて周波数が制御された局部発振信号の供給を有線にて受けながら、前記第１および第２実装基板間におけるデータ伝送を内部無線通信にて行う第２の内部無線通信制御部とを備えることを特徴とする無線通信端末。
【請求項２９】
所定の周波数ホッピングシーケンスに従って周波数ホッピングを行わせるための情報を送信側と受信側の双方に有線にて供給しながら、周波数ホッピング方式のデータ伝送を前記送信側と前記受信側との間で行わせることを特徴とする無線通信制御方法。
【請求項３０】
ホッピングまたはチャーピングにて周波数が変化する局部発振信号を送信側と受信側の双方に有線にて供給しながら、周波数ホッピング方式または周波数チャーピング方式の無線通信を前記送信側と前記受信側との間で行わせることを特徴とする無線通信制御方法。
【発明の詳細な説明】
【技術分野】
【０００１】
本発明は無線通信端末および無線通信制御方法に関し、特に、送信側と受信側の通信装置が所定のホッピングシーケンスに従って送受信周波数をホップさせながら通信する周波数ホッピング無線通信システムに適用して好適なものである。
【背景技術】
【０００２】
スペクトラム拡散無線通信技術の一つとして周波数ホッピング方式がある。この周波数ホッピング方式では、ホッピングパターンを適切に選択することによって、限られた周波数帯域の中に多くの独立した通信チャネルを確保することができる。
ここで、周波数ホッピング方式の通信システムでは、送信側通信装置と受信側通信装置とが、同一のホッピングシーケンス（ホッピングパターン）に従って、送信周波数および受信周波数を互いに同期してホップさせる。この時使用される送受信周波数のホッピングシーケンスには、繰り返し周期の比較的短いものと、秘匿性を向上させるために長い繰返し周期を持つものとがある。そして、ホッピングシーケンスが上記何れの場合であっても、受信側通信装置では、送信側通信装置で現在使用されている送信周波数がホッピングシーケンス中のどの周波数かを特定し、受信周波数のホッピングタイミングを送信側通信装置に同期させる同期捕捉技術が重要となる。
【０００３】
周波数ホッピングスペクトラム通信方式は、データレートと周波数ホッピングレートの関係から低速周波数ホッピングスペクトル拡散方式と高速周波数ホッピングスペクトル拡散方式に分けられる。
低速周波数ホッピングスペクトル拡散通信方式は、周波数ホッピングレートがデータレートよりも低い方式で、複数のシンボルを１つの周波数で伝送する。このような低速周波数ホッピングスペクトル拡散通信方式として、特許文献１には、復調した情報のビット数を数えることにより周波数の切り替えタイミングを決定し、送信機と受信機の周波数同期を取る方式が開示されている。また、特許文献２には、次に使用する周波数情報をパケット中に含ませ、パケット中に含まれる周波数情報を使用することにより、送信機と受信機の使用周波数の同期を取る方法が開示されている。さらに、特許文献３には、ｆ−Ｖ変換を行うことにより周波数のずれを検知し、受信側の周波数を設定する方式が開示されている。
【０００４】
一方、高速周波数ホッピングスペクトル拡散通信方式は、周波数ホッピングレートがデータレートよりも高い方式で、１つのシンボルを複数の周波数で伝送する。この方式では１シンボルを複数の周波数で送信するため、マルチパスフェ−ジングなどの周波数選択性フェ−ジングに対して良好な特性を得ることができる。このような高速周波数ホッピングスペクトル拡散通信方式として、特許文献４には、ホッピング系列の同期獲得を短時間で行うことができる高速周波数ホッピングスペクトル拡散受信機並びにそれに用いる相関器及び同期装置が開示されている。
【特許文献１】特開平７−３０５１６号公報
【特許文献２】特開平５−１９１３７８号公報
【特許文献３】特開平１１−８５７１号公報
【特許文献４】特開平８−１９１２６０号広報
【発明の開示】
【発明が解決しようとする課題】
【０００５】
しかしながら、特許文献１、２に開示された方法では、受信機側において、復調器を通過した信号から使用周波数を決定することになる。そのため、復調器で正しく復調された信号がなければ初期同期捕捉ができない。従って、初期同期捕捉には、送信機と受信機の周波数が一致するまで待たなければならないだけでなく、同期を取るためだけに必要となるプリアンブル信号を出力するような対策を講じなければならないという問題があった。
【０００６】
また、特許文献３に開示された方法では、ｆ−Ｖ変換で周波数のずれを検知し、受信側の周波数を設定するため、周波数のずれを検出してから受信局発の周波数が安定するまで待たなければならない。また、この方式を非常に広い帯域を有する通信システムに用いた場合、広帯域にわたって線形なｆ−Ｖ変換器を用いる必要がある。
また、特許文献４に開示された方法では、従来の高速ホッピングの同期捕捉にかかる時間を短縮する方法が示されているが、その方法を用いたとしても相関を取る時間が必要であることに変わりないだけでなく、複数の相関をとる為の回路が必要となり受信機の回路が複雑になるという問題があった。
【０００７】
そこで、本発明の第１の目的は、無線通信環境に依存することなく、周波数ホッピング動作を送信側と受信側との間で安定して行わせることが可能であると共に、周波数ホッピングの同期がすばやく行える無線通信端末および無線通信制御方法を提供することである。
また、本発明の第２の目的は、周波数オフセットを伴うことなく送信側と受信側との間で周波数ホッピング動作を行わせることが可能であるとともに、周波数同期のためのプリアンブル信号を不要とすることが可能な無線通信端末および無線通信制御方法を提供することである。
【課題を解決するための手段】
【０００８】
上述した課題を解決するために、本発明の一態様に係る無線通信端末によれば、所定の周波数ホッピングシーケンスに従って送信データの送信処理を行う無線送信部と、所定の周波数ホッピングシーケンスに従って受信データの受信処理を行う無線受信部と、前記周波数ホッピングシーケンスに従って周波数ホッピングを行わせるための情報を前記無線送信部および前記無線受信部の双方に有線で送出するホッピング制御部とを備えることを特徴とする。
【０００９】
これにより、周波数ホッピングを行わせるための情報を無線送信部および無線受信部の双方で有線にて共有することが可能となる。このため、周波数ホッピングを行わせるための情報を無線で送る必要がなくなり、受信信号からホッピングパターンを無線受信部側で推定し、初期同期捕捉を行う必要がなくなるとともに、受信側でホッピングパターンに正しく同期できないような劣悪な通信環境においても、無線送信部および無線受信部の双方で周波数ホッピングを安定して行わせることが可能となる。この結果、無線受信部の回路構成を簡略化することが可能となるとともに、同期を取るためだけに必要となるプリアンブル信号の出力が不要となり、通信スループットを向上させることができる。
【００１０】
また、本発明の一態様に係る無線通信端末によれば、第１の周波数ホッピングシーケンスに従って送信データの送信処理を行う第１無線送信部と、前記第１の周波数ホッピングシーケンスに従って受信データの受信処理を行う第１無線受信部と、前記第１の周波数ホッピングシーケンスで特定されるホッピング周波数と重ならないように送信時のホッピング周波数が設定された第２の周波数ホッピングシーケンスに従って送信データの送信処理を行う第２無線送信部と、前記第２の周波数ホッピングシーケンスに従って受信データの受信処理を行う第２無線受信部と、前記第１の周波数ホッピングシーケンスに従って周波数ホッピングを行わせるための情報を前記第１無線送信部および前記第１無線受信部の双方に有線で送出するとともに、前記第２の周波数ホッピングシーケンスに従って周波数ホッピングを行わせるための情報を前記第２無線送信部および前記第２無線受信部の双方に有線で送出するホッピング制御部とを備えることを特徴とする。
【００１１】
これにより、第１無線送信部から送信される送信データと第２無線送信部から送信される送信データとが同一帯域で衝突することを回避させることを可能としつつ、周波数ホッピングを行わせるための情報を無線送信部および無線受信部の双方で共有することが可能となる。このため、受信側でホッピングパターンに正しく同期できないような劣悪な通信環境においても、周波数ホッピング方式による双方向通信を安定して行わせることができる。
【００１２】
また、本発明の一態様に係る無線通信端末によれば、前記ホッピング制御部は、互いに重ならないようにホッピング周波数が配列されたホッピングパターンを取得するホッピングパターン取得部と、前記ホッピングパターンに含まれるホッピング周波数の出力を１スロット分だけ遅延させるホッピングパターン遅延部とを備え、前記ホッピングパターン取得部にて取得されたホッピングパターンを所定のホッピングタイミングに従って前記第１無線送信部および前記第１無線受信部の双方に有線で送出するとともに、前記ホッピングパターン遅延部から出力されたホッピングパターンを前記ホッピングタイミングに従って前記第２無線送信部および前記第２無線受信部の双方に有線で送出することを特徴とする。
【００１３】
これにより、ホッピングパターンに含まれるホッピング周波数の出力を遅延させることで、第１無線送信部における送信時のホッピング周波数と第２無線送信部における送信時のホッピング周波数が重ならないようにすることができる。このため、回路構成の簡略化を可能としつつ、第１無線送信部から送信される送信データと第２無線送信部から送信される送信データとが同一帯域で衝突することを回避させることが可能となり、周波数ホッピング方式による双方向通信を安定して行わせることができる。
【００１４】
また、本発明の一態様に係る無線通信端末によれば、前記第１および第２無線送信部ならびに前記第１および第２無線受信部は、同一半導体チップ内、同一プリント基板上または同一筐体内または同一モジュール内または同一パッケージ内または一体的に使用される機器内に配置されていることを特徴とする。
これにより、周波数ホッピングを行わせるための情報を第１および第２無線送信部ならびに第１および第２無線受信部の双方で有線にて共有することを可能としつつ、同一製品内におけるデータ伝送を無線にて行うことが可能となり、同一製品内におけるデータ伝送を効率よく行うことが可能となる。
【００１５】
また、本発明の一態様に係る無線通信端末によれば、所定の周波数ホッピングシーケンスに従って送信データの送信処理を行う無線送信部と、所定の周波数ホッピングシーケンスに従って受信データの受信処理を行う無線受信部と、前記無線送信部における周波数ホッピング制御を行う第１ホッピング制御部と、前記無線受信部における周波数ホッピング制御を行う第２ホッピング制御部と、前記無線送信部および前記無線受信部の周波数ホッピングシーケンスが一致するように、前記第１ホッピング制御部と前記第２ホッピング制御部との間で有線にて制御を行う有線制御部とを備えることを特徴とする。
【００１６】
これにより、無線送信部および無線受信部の周波数ホッピングシーケンスを一致させつつ、無線送信部および無線受信部のホッピング制御を個別に行わせることが可能となる。このため、周波数ホッピングを行わせるための情報を無線で送る必要がなくなるとともに、有線制御部による負荷を低減することが可能となり、高速ホッピングに対応しつつ、周波数ホッピング方式による無線通信の品質の劣化を抑制することが可能となる。
【００１７】
また、本発明の一態様に係る無線通信端末によれば、前記第１ホッピング制御部側に設けられ、ホッピング周波数が配列されたホッピングパターンを記憶する第１ホッピングパターン記憶部と、前記第２ホッピング制御部側に設けられ、前記第１ホッピングパターン記憶部に記憶されたホッピングパターンと同一のホッピングパターンを記憶する第２ホッピングパターン記憶部とを備え、前記有線制御部は、前記無線送信部と前記無線受信部との間のホッピングパターンおよびホッピングタイミングがそれぞれ一致するように、ホッピングパターンの選択と初期位相の設定を通信開始時に行うことを特徴とする。
【００１８】
これにより、無線送信部および無線受信部のホッピング制御を個別に行わせることが可能となるとともに、ホッピングパターンの選択と初期位相の設定を通信開始時に行うことで、無線送信部および無線受信部の周波数ホッピングシーケンスを一致させることができる。このため、有線制御部による制御をホッピングタイミングごとに行うことなく、無線送信部および無線受信部の双方で周波数ホッピングを安定して行わせることが可能となり、高速ホッピングに対応しつつ、周波数ホッピング方式による無線通信の品質の劣化を抑制することが可能となる。
【００１９】
また、本発明の一態様に係る無線通信端末によれば、前記第１ホッピング制御部は、ホッピング周波数が配列されたホッピングパターンを生成する第１ホッピングパターン生成部を備え、前記第２ホッピング制御部は、前記第１ホッピングパターン生成部にて生成されるホッピングパターンと同一のホッピングパターンを生成する第２ホッピングパターン生成部を備え、前記有線制御部は、前記ホッピングパターンのホッピングタイミングを一致させるリセット信号を前記第１ホッピング制御部と前記第２ホッピング制御部との間で送出させることを特徴とする。
【００２０】
これにより、無線送信部および無線受信部のホッピング制御を個別に行わせることが可能となるとともに、通信開始時にリセット信号を有線にて送出することで、無線送信部および無線受信部の周波数ホッピングシーケンスを一致させることができる。このため、有線制御部による制御をホッピングタイミングごとに行うことなく、無線送信部および無線受信部の双方で周波数ホッピングを安定して行わせることが可能となり、高速ホッピングに対応しつつ、周波数ホッピング方式による無線通信の品質の劣化を抑制することが可能となる。
【００２１】
また、本発明の一態様に係る無線通信端末によれば、データ通信のデータ量に基づいてスロット長を設定するスロット長設定部をさらに備え、前記第１および第２ホッピング制御部のいずれか少なくとも一方は、前記スロット長設定部にて設定されたスロット長に基づいて、通信時のホッピング周波数を変更することを特徴とする。
これにより、周波数ホッピングを行わせるための情報を無線送信部および無線受信部の双方で共有しながら、スロット長を変化させることが可能となる。このため、無線送信部および無線受信部の双方で周波数ホッピングを安定して行わせることを可能としつつ、データ通信を効率よく行わせることが可能となり、受信側でホッピングパターンに正しく同期できないような劣悪な通信環境においても、周波数ホッピング方式による無線通信の品質の劣化を抑制することが可能となるとともに、通信スループットを向上させることができる。
【００２２】
また、本発明の一態様に係る無線通信端末によれば、前記無線受信部にて受信された受信データの誤り率を検出する誤り率検出部と、前記誤り率検出部にて検出された誤り率に基づいて、前記周波数ホッピングシーケンスを変更するホッピングシーケンス変更部とをさらに備えることを特徴とする。
これにより、周波数ホッピングを行わせるための情報を無線送信部および無線受信部の双方で共有しながら、ホッピング周波数を適応的に変化させることが可能となる。このため、通信状況が悪い周波数を避けながら、無線送信部および無線受信部の双方で周波数ホッピングを安定して行わせることが可能となり、受信側でホッピングパターンに正しく同期できないような劣悪な通信環境においても、周波数ホッピング方式による無線通信の品質の劣化を抑制することが可能となるとともに、通信スループットを向上させることができる。
【００２３】
また、本発明の一態様に係る無線通信端末によれば、局部発振信号を生成する局部発振器と、前記局部発振信号の供給を受けながら無線通信データの送信処理を行う無線送信部と、前記局部発振信号の供給を受けながら無線通信データの受信処理を行う無線受信部と、前記局部発振信号を前記無線送信部および前記無線受信部に有線にて供給する有線部とを備えることを特徴とする。
【００２４】
これにより、同一の局部発振信号を基準にしながら送信処理および受信処理を行うことができ、無線送信部と無線受信部との間で常に同じ周波数の再生クロックを確保できる。このため、発振周波数の安定度や周波数精度による誤差の発生を防止することが可能となるとともに、安価な局部発振器を用いた場合においても、安定度の高い通信回路を構築することができる。
【００２５】
また、本発明の一態様に係る無線通信端末によれば、前記局部発振器にて生成される局部発振信号の周波数を制御する周波数制御部をさらに備えることを特徴とする。
これにより、無線送信部および無線受信部を常に同一周波数に同期させながらスペクトラム拡散無線通信を行なわせることが可能となり、回路構成の簡略化を図りつつ、限られた周波数帯域の中に多くの独立した通信チャネルを確保することができる。
【００２６】
また、本発明の一態様に係る無線通信端末によれば、局部発振信号の供給を受けながら無線通信データの送信処理を行う無線送信部と、前記局部発振信号の供給を受けながら無線通信データの受信処理を行う無線受信部と、前記局部発振信号を生成する局部発振器と、前記局部発振器にて生成される局部発振信号の周波数のホッピングまたはチャーピングを行わせる制御部と、前記ホッピングまたはチャーピングにて周波数が変化する局部発振信号を前記無線送信部および前記無線受信部に有線にて供給する有線部とを備えることを特徴とする。
【００２７】
これにより、ホッピングまたはチャーピングにて周波数が変化する局部発振信号を無線送信部および無線受信部の双方で有線にて共有することが可能となる。このため、周波数ホッピング方式または周波数チャーピング方式の無線通信が行われる場合においても、無線送信部および無線受信部を常に同一周波数に同期させながら動作させることが可能となり、受信信号からホッピングパターンまたはチャーピングパターンを無線受信部側で推定し、初期同期捕捉を行う必要がなくなるとともに、受信側でホッピングパターンまたはチャーピングパターンに正しく同期できないような劣悪な通信環境においても、無線送信部および無線受信部の双方で周波数ホッピングまたは周波数チャーピングを安定して行わせることが可能となる。この結果、無線受信部の回路構成を簡略化することが可能となるとともに、同期を取るためだけに必要となるプリアンブル信号の出力が不要となり、通信スループットを向上させることができる。
【００２８】
また、本発明の一態様に係る無線通信端末によれば、前記無線送信部は、前記局部発振信号の周波数を逓倍することにより第１キャリア信号を生成する第１周波数逓倍回路と、前記第１キャリア信号をベースバンド信号に混合することにより、前記ベースバンド信号のアップコンバートを行う第１混合器とを備え、前記無線受信部は、前記局部発振信号の周波数を逓倍することにより検波信号を生成する第２周波数逓倍回路と、前記検波信号を受信信号に混合することにより、前記受信信号のダウンコンバートを行う第２混合器とを備えることを特徴とする。
【００２９】
これにより、ホッピングまたはチャーピングにて同じように周波数を変化させながら、アップコンバートおよびダウンコンバートを行うことが可能となり、周波数ホッピング方式または周波数チャーピング方式の無線通信が行われる場合においても、無線送信部および無線受信部を常に同一周波数に同期させながら動作させることが可能となる。このため、周波数ホッピングまたは周波数チャーピングを行わせるための情報を受信側と送信側との間でやり取りする必要がなくなり、受信側でホッピングパターンまたはチャーピングパターンに正しく同期できないような劣悪な通信環境においても、周波数ホッピング方式または周波数チャーピング方式による無線通信の品質の劣化を抑制することが可能となる。
【００３０】
また、本発明の一態様に係る無線通信端末によれば、前記無線受信部にて受信された受信データの誤り率を検出する誤り率検出部をさらに備え、前記制御部は、前記誤り率検出部にて検出された誤り率に基づいて、通信時のホッピング周波数またはチャーピング周波数を変更することを特徴とする。
これにより、ホッピングまたはチャーピングにて周波数が変化する局部発振信号を無線送信部および無線受信部の双方で有線にて共有しながら、ホッピング周波数またはチャーピング周波数を適応的に変化させることが可能となる。このため、通信状況が悪い周波数を避けながら、無線送信部および無線受信部の双方で周波数ホッピングまたは周波数チャーピングを安定して行わせることが可能となり、受信側でホッピングパターンまたはチャーピングパターンに正しく同期できないような劣悪な通信環境においても、周波数ホッピング方式または周波数チャーピング方式による無線通信の品質の劣化を抑制することが可能となるとともに、通信スループットを向上させることができる。
【００３１】
また、本発明の一態様に係る無線通信端末によれば、前記無線送信部および前記無線受信部は、同一半導体チップ内、同一プリント基板上または同一筐体内または同一モジュール内または同一パッケージ内または一体的に使用される機器内に配置されていることを特徴とする。
これにより、周波数ホッピングを行わせるための情報を第１および第２無線送信部ならびに第１および第２無線受信部の双方で有線にて共有することを可能としつつ、同一製品内におけるデータ伝送を無線にて行うことが可能となり、同一製品内におけるデータ伝送を効率よく行うことが可能となる。
【００３２】
また、本発明の一態様に係る無線通信端末によれば、第１局部発振信号の供給を受けながら無線通信データの送信処理を行う第１無線送信部と、前記第１局部発振信号の供給を受けながら無線通信データの受信処理を行う第１無線受信部と、前記第１局部発振信号を生成する第１局部発振器と、第２局部発振信号の供給を受けながら無線通信データの送信処理を行う第２無線送信部と、前記第２局部発振信号の供給を受けながら無線通信データの受信処理を行う第２無線受信部と、前記第２局部発振信号を生成する第２局部発振器と、前記第１および第２局部発振器から出力される周波数が互いに重ならないように、前記第１および第２局部発振器にてそれぞれ生成される第１および第２局部発振信号の周波数のホッピングまたはチャーピングを行わせる制御部と、前記ホッピングまたはチャーピングにて周波数が変化する第１局部発振信号を前記第１無線送信部および前記第１無線受信部に有線にて供給する第１有線部と、前記ホッピングまたはチャーピングにて周波数が変化する第２局部発振信号を前記第２無線送信部および前記第２無線受信部に有線にて供給する第２有線部とを備えることを特徴とする。
【００３３】
これにより、第１無線送信部から送信される送信データと第２無線送信部から送信される送信データとが同一帯域で衝突することを回避させることを可能としつつ、ホッピングまたはチャーピングにて周波数が変化する局部発振信号を無線送信部および無線受信部の双方で有線にて共有することが可能となる。このため、受信側でホッピングパターンまたはチャーピングパターンに正しく同期できないような劣悪な通信環境においても、周波数ホッピング方式または周波数チャーピング方式による双方向通信を安定して行わせることができる。
【００３４】
また、本発明の一態様に係る無線通信端末によれば、前記第１無線受信部および前記第２無線受信部のいずれか少なくとも一方にて受信された受信データの誤り率を検出する誤り率検出部をさらに備え、前記制御部は、前記誤り率検出部にて検出された誤り率に基づいて、通信時のホッピング周波数またはチャーピング周波数を変更することを特徴とする。
【００３５】
これにより、ホッピングまたはチャーピングにて周波数が変化する局部発振信号を無線送信部および無線受信部の双方で有線にて共有しながら、ホッピング周波数またはチャーピング周波数を適応的に変化させることが可能となる。このため、通信状況が悪い周波数を避けながら、無線送信部および無線受信部の双方で周波数ホッピングまたは周波数チャーピングを安定して行わせることが可能となり、受信側でホッピングパターンまたはチャーピングパターンに正しく同期できないような劣悪な通信環境においても、周波数ホッピング方式または周波数チャーピング方式による無線通信の品質の劣化を抑制することが可能となるとともに、通信スループットを向上させることができる。
【００３６】
また、本発明の一態様に係る無線通信端末によれば、データ通信のデータ量に基づいてスロット長を設定するスロット長設定部をさらに備え、前記制御部は、前記スロット長設定部にて設定されたスロット長に基づいて、通信時のホッピング周波数またはチャーピング周波数を変更することを特徴とする。
これにより、ホッピングまたはチャーピングにて周波数が変化する局部発振信号を無線送信部および無線受信部の双方で有線にて共有しながら、スロット長を変化させることが可能となる。このため、無線送信部および無線受信部の双方で周波数ホッピングまたは周波数チャーピングを安定して行わせることを可能としつつ、データ通信を効率よく行わせることが可能となり、受信側でホッピングパターンまたはチャーピングパターンに正しく同期できないような劣悪な通信環境においても、周波数ホッピング方式または周波数チャーピング方式による無線通信の品質の劣化を抑制することが可能となるとともに、通信スループットを向上させることができる。
【００３７】
また、本発明の一態様に係る無線通信端末によれば、前記第１および第２無線送信部ならびに前記第１および第２無線受信部は、同一半導体チップ内、同一プリント基板上または同一筐体内または同一モジュール内または同一パッケージ内または一体的に使用される機器内に配置されていることを特徴とする。
これにより、周波数ホッピングを行わせるための情報を無線送信部および無線受信部の双方で有線にて共有することを可能としつつ、同一製品内におけるデータ伝送を無線にて行うことが可能となり、同一製品内におけるデータ伝送を効率よく行うことが可能となる。
【００３８】
また、本発明の一態様に係る無線通信端末によれば、第１筐体部と、前記第１筐体部に連結された第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記第１筐体部に搭載され、前記外部無線通信用アンテナを介して行われる外部無線通信の制御を主として司る外部無線通信制御部と、前記第２筐体部に搭載された表示部と、前記第１筐体部に搭載された第１の内部無線通信用アンテナと、前記第２筐体部に搭載された第２の内部無線通信用アンテナと、前記第１筐体部に搭載され、局部発振信号の供給を受けながら内部無線通信処理を行う第１の内部無線通信制御部と、前記第２筐体部に搭載され、前記局部発振信号の供給を受けながら内部無線通信処理を行う第２の内部無線通信制御部と、前記局部発振信号を生成する局部発振器と、前記局部発振器にて生成される局部発振信号の周波数のホッピングまたはチャーピングを行わせる制御部と、前記ホッピングまたはチャーピングにて周波数が変化する局部発振信号を前記第１および第２の内部無線通信制御部の双方に有線にて供給する有線部とを備えることを特徴とする。
【００３９】
これにより、ホッピングまたはチャーピングにて周波数が変化する局部発振信号を無線送信部および無線受信部の双方で有線にて共有することが可能となる。このため、周波数ホッピングまたは周波数チャーピングを行わせるための情報を無線で送る必要がなくなり、受信側でホッピングパターンまたはチャーピングパターンに正しく同期できないような劣悪な通信環境においても、周波数ホッピング方式または周波数チャーピング方式による内部無線通信の品質の劣化を抑制することが可能となるとともに、第１筐体部と第２筐体部との間でのデータ伝送量の増大に対応しつつ、第１筐体部と第２筐体部との間で有線にて送られるデータ伝送量の増大を抑制することができる。この結果、連結部の構成を複雑化させることなく、第１筐体部と第２筐体部との間の位置関係を変化させることが可能となり、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【００４０】
また、本発明の一態様に係る無線通信端末によれば、同一半導体チップに形成された第１および第２回路ブロックと、前記第１回路ブロックに対応して前記半導体チップに形成された第１の内部無線通信用アンテナと、前記第２回路ブロックに対応して前記半導体チップに形成された第２の内部無線通信用アンテナと、前記第１回路ブロックに対応して前記半導体チップに搭載され、前記第１および第２回路ブロック間におけるデータ伝送を所定の周波数ホッピングシーケンスに従って内部無線通信にて行う第１の内部無線通信制御部と、前記第２回路ブロックに対応して前記半導体チップに搭載され、前記第１および第２回路ブロック間におけるデータ伝送を所定の周波数ホッピングシーケンスに従って内部無線通信にて行う第２の内部無線通信制御部と、前記周波数ホッピングシーケンスに従って周波数ホッピングを行わせるための情報を前記第１および第２の内部無線通信制御部の双方に有線で送出するホッピング制御部とを備えることを特徴とする。
【００４１】
これにより、同一半導体チップ上で様々の処理を行わせることを可能としつつ、半導体チップに形成された回路ブロック間の通信を無線にて行わせることが可能となる。このため、半導体チップ上に形成される配線数を減らすことを可能となり、半導体チップ内におけるレイアウト設計の自由度を向上させることが可能となるとともに、大量のデータのやり取りを半導体チップ内で高速に行わせることが可能となる。
【００４２】
また、本発明の一態様に係る無線通信端末によれば、実装基板上に実装された第１および第２半導体チップと、前記第１半導体チップに形成された第１の内部無線通信用アンテナと、前記第２半導体チップに形成された第２の内部無線通信用アンテナと、前記第１半導体チップに搭載され、前記第１および第２半導体チップ間におけるデータ伝送を所定の周波数ホッピングシーケンスに従って内部無線通信にて行う第１の内部無線通信制御部と、前記第２半導体チップに搭載され、前記第１および第２半導体チップ間におけるデータ伝送を所定の周波数ホッピングシーケンスに従って内部無線通信にて行う第２の内部無線通信制御部と、前記周波数ホッピングシーケンスに従って周波数ホッピングを行わせるための情報を前記第１および第２の内部無線通信制御部の双方に有線で送出するホッピング制御部とを備えることを特徴とする。
【００４３】
これにより、実装基板上に実装された半導体チップ間の通信を無線にて行わせることが可能となり、実装基板上に形成される配線数を減らすことを可能となる。このため、実装基板上におけるレイアウト設計の自由度を向上させることが可能となるとともに、大量のデータのやり取りを実装基板上で高速に行わせることが可能となる。
また、本発明の一態様に係る無線通信端末によれば、第１半導体チップが実装された第１実装基板と、第２半導体チップが実装された第２実装基板と、前記第１実装基板上に形成され、前記第１半導体チップに接続された第１の内部無線通信用アンテナと、前記第２実装基板上に形成され、前記第２半導体チップに接続された第２の内部無線通信用アンテナと、前記第１半導体チップに搭載され、前記第１および第２実装基板間におけるデータ伝送を所定の周波数ホッピングシーケンスに従って内部無線通信にて行う第１の内部無線通信制御部と、前記第２半導体チップに搭載され、前記第１および第２実装基板間におけるデータ伝送を所定の周波数ホッピングシーケンスに従って内部無線通信にて行う第２の内部無線通信制御部と、前記周波数ホッピングシーケンスに従って周波数ホッピングを行わせるための情報を前記第１および第２の内部無線通信制御部の双方に有線で送出するホッピング制御部とを備えることを特徴とする。
【００４４】
これにより、実装基板間の通信を無線にて行わせることが可能となり、実装基板間に形成される配線数を減らすことを可能となる。このため、実装基板上におけるレイアウト設計の自由度を向上させることが可能となるとともに、大量のデータのやり取りを実装基板間で高速に行わせることが可能となる。
また、本発明の一態様に係る無線通信端末によれば、第１筐体部と、前記第１筐体部に連結された第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記第１筐体部に搭載され、前記外部無線通信用アンテナを介して行われる外部無線通信の制御を主として司る外部無線通信制御部と、前記第２筐体部に搭載された表示部と、前記第１筐体部に搭載された第１の内部無線通信用アンテナと、前記第２筐体部に搭載された第２の内部無線通信用アンテナと、前記第１筐体部に搭載され、所定の周波数ホッピングシーケンスに従って内部無線通信処理を行う第１の内部無線通信制御部と、前記第２筐体部に搭載され、所定の周波数ホッピングシーケンスに従って内部無線通信処理を行う第２の内部無線通信制御部と、前記周波数ホッピングシーケンスに従って周波数ホッピングを行わせるための情報を前記第１および第２の内部無線通信制御部の双方に有線で送出するホッピング制御部とを備えることを特徴とする。
【００４５】
これにより、周波数ホッピングを行わせるための情報を第１および第２の内部無線通信制御部の双方で共有することが可能となる。このため、周波数ホッピングを行わせるための情報を無線で送る必要がなくなり、受信側でホッピングパターンに正しく同期できないような劣悪な通信環境においても、周波数ホッピング方式による内部無線通信の品質の劣化を抑制することが可能となるとともに、第１筐体部と第２筐体部との間でのデータ伝送量の増大に対応しつつ、第１筐体部と第２筐体部との間で有線にて送られるデータ伝送量の増大を抑制することができる。この結果、連結部の構成を複雑化させることなく、第１筐体部と第２筐体部との間の位置関係を変化させることが可能となり、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【００４６】
また、本発明の一態様に係る無線通信端末によれば、同一半導体チップに形成された第１および第２回路ブロックと、前記第１回路ブロックに対応して前記半導体チップに形成された第１の内部無線通信用アンテナと、前記第２回路ブロックに対応して前記半導体チップに形成された第２の内部無線通信用アンテナと、局部発振信号を生成する局部発振器と、前記局部発振器にて生成される局部発振信号の周波数のホッピングまたはチャーピングを行わせる周波数制御部と、前記第１回路ブロックに対応して前記半導体チップに搭載され、前記周波数制御部にて周波数が制御された局部発振信号の供給を有線にて受けながら、前記第１および第２回路ブロック間におけるデータ伝送を内部無線通信にて行う第１の内部無線通信制御部と、前記第２回路ブロックに対応して前記半導体チップに搭載され、前記周波数制御部にて周波数が制御された局部発振信号の供給を有線にて受けながら、前記第１および第２回路ブロック間におけるデータ伝送を内部無線通信にて行う第２の内部無線通信制御部とを備えることを特徴とする。
【００４７】
これにより、同一半導体チップ上で様々の処理を行わせることを可能としつつ、半導体チップに形成された回路ブロック間の通信を無線にて行わせることが可能となる。このため、半導体チップ上に形成される配線数を減らすことを可能となり、半導体チップ内におけるレイアウト設計の自由度を向上させることが可能となるとともに、大量のデータのやり取りを半導体チップ内で高速に行わせることが可能となる。
【００４８】
また、本発明の一態様に係る無線通信端末によれば、実装基板上に実装された第１および第２半導体チップと、前記第１半導体チップに形成された第１の内部無線通信用アンテナと、前記第２半導体チップに形成された第２の内部無線通信用アンテナと、局部発振信号を生成する局部発振器と、前記局部発振器にて生成される局部発振信号の周波数のホッピングまたはチャーピングを行わせる周波数制御部と、前記第１半導体チップに搭載され、前記周波数制御部にて周波数が制御された局部発振信号の供給を有線にて受けながら、前記第１および第２半導体チップ間におけるデータ伝送を内部無線通信にて行う第１の内部無線通信制御部と、前記第２半導体チップに搭載され、前記周波数制御部にて周波数が制御された局部発振信号の供給を有線にて受けながら、前記第１および第２半導体チップ間におけるデータ伝送を内部無線通信にて行う第２の内部無線通信制御部とを備えることを特徴とする。
【００４９】
これにより、実装基板上に実装された半導体チップ間の通信を無線にて行わせることが可能となり、実装基板上に形成される配線数を減らすことを可能となる。このため、実装基板上におけるレイアウト設計の自由度を向上させることが可能となるとともに、大量のデータのやり取りを実装基板上で高速に行わせることが可能となる。
【００５０】
また、本発明の一態様に係る無線通信端末によれば、第１半導体チップが実装された第１実装基板と、第２半導体チップが実装された第２実装基板と、前記第１実装基板上に形成され、前記第１半導体チップに接続された第１の内部無線通信用アンテナと、前記第２実装基板上に形成され、前記第２半導体チップに接続された第２の内部無線通信用アンテナと、局部発振信号を生成する局部発振器と、前記局部発振器にて生成される局部発振信号の周波数のホッピングまたはチャーピングを行わせる周波数制御部と、前記第１半導体チップに搭載され、前記周波数制御部にて周波数が制御された局部発振信号の供給を有線にて受けながら、前記第１および第２実装基板間におけるデータ伝送を内部無線通信にて行う第１の内部無線通信制御部と、前記第２半導体チップに搭載され、前記周波数制御部にて周波数が制御された局部発振信号の供給を有線にて受けながら、前記第１および第２実装基板間におけるデータ伝送を内部無線通信にて行う第２の内部無線通信制御部とを備えることを特徴とする。
【００５１】
これにより、実装基板間の通信を無線にて行わせることが可能となり、実装基板間に形成される配線数を減らすことを可能となる。このため、実装基板上におけるレイアウト設計の自由度を向上させることが可能となるとともに、大量のデータのやり取りを実装基板間で高速に行わせることが可能となる。
【００５２】
また、本発明の一態様に係る無線通信制御方法によれば、所定の周波数ホッピングシーケンスに従って周波数ホッピングを行わせるための情報を送信側と受信側の双方に有線にて供給しながら、周波数ホッピング方式のデータ伝送を前記送信側と前記受信側との間で行わせることを特徴とする。
【００５３】
これにより、周波数ホッピングを行わせるための情報を送信側および受信側の双方で有線にて共有することが可能となる。このため、周波数ホッピングを行わせるための情報を無線で送る必要がなくなり、受信側でホッピングパターンに正しく同期できないような劣悪な通信環境においても、周波数ホッピング方式による無線通信の品質の劣化を抑制することが可能となる。
【００５４】
また、本発明の一態様に係る無線通信制御方法によれば、ホッピングまたはチャーピングにて周波数が変化する局部発振信号を送信側と受信側の双方に有線にて供給しながら、周波数ホッピング方式または周波数チャーピング方式の無線通信を前記送信側と前記受信側との間で行わせることを特徴とする。
これにより、ホッピングまたはチャーピングにて周波数が変化する局部発振信号を無線送信部および無線受信部の双方で有線にて共有することが可能となる。このため、周波数ホッピングまたは周波数チャーピングを行わせるための情報を無線で送る必要がなくなり、受信側でホッピングパターンまたはチャーピングパターンに正しく同期できないような劣悪な通信環境においても、周波数ホッピング方式または周波数チャーピング方式による無線通信の品質の劣化を抑制することが可能となる。
【発明を実施するための最良の形態】
【００５５】
以下、本発明の実施形態に係る無線通信端末について図面を参照しながら説明する。
図１は、本発明の無線通信制御方法が適用されるクラムシェル型携帯電話を開いたときの状態を示す斜視図、図２は、本発明の無線通信制御方法が適用されるクラムシェル型携帯電話を閉じたときの状態を示す斜視図である。
図１および図２において、第１筐体部１の表面には、操作ボタン４が配置されるとともに、第１筐体部１の下端にはマイク５が設けられ、第１筐体部１の上端には外部無線通信用アンテナ６が取り付けられている。また、第２筐体部２の表面には、表示体８が設けられるとともに、第２筐体部２の上端にはスピーカ９が設けられている。また、第２筐体部２の裏面には、表示体１１および撮像素子１２が設けられている。なお、表示体８、１１としては、例えば、液晶表示パネル、有機ＥＬパネルまたはプラズマディスプレイパネルなどを用いることができる。また、撮像素子１２としては、ＣＣＤまたはＣＭＯＳセンサなどを用いることができる。また、第１筐体部１および第２筐体部２には、第１筐体部１と第２筐体部２との間で内部無線通信を行う内部無線通信用アンテナ７、１０がそれぞれ設けられている。
【００５６】
そして、第１筐体部１および第２筐体部２はヒンジ３を介して連結され、第２筐体部２をヒンジ３を支点として回転させることにより、第２筐体部２を第１筐体部１上に折り畳むことができる。そして、第２筐体部２を第１筐体部１上に閉じることにより、操作ボタン４を第２筐体部２にて保護することができ、携帯電話を持ち歩く時に操作ボタン４が誤って操作されることを防止することができる。また、第２筐体部２を第１筐体部１から開くことにより、表示体８を見ながら操作ボタン４を操作したり、スピーカ９およびマイク５を使いながら通話したり、操作ボタン４を操作しながら撮像を行ったりすることができる。
【００５７】
ここで、クラムシェル構造を用いることにより、第２筐体部２のほぼ一面全体に表示体８を配置することができ、携帯電話の携帯性を損なうことなく、表示体８のサイズを拡大させることを可能として、視認性を向上させることができる。
また、内部無線通信用アンテナ７、１０を第１筐体部１および第２筐体部２にそれぞれ設けることにより、内部無線通信用アンテナ７、１０を用いた内部無線通信にて第１筐体部１と第２筐体部２との間のデータ伝送を行うことができる。例えば、外部無線通信用アンテナ６を介して第１筐体部１に取り込まれた画像データや音声データを、内部無線通信用アンテナ７、１０を用いた内部無線通信にて第２筐体部２に送り、表示体８に画像を表示させたり、スピーカ９から音声を出力させたりすることができる。また、撮像素子１２にて撮像された撮像データを、内部無線通信用アンテナ７、１０を用いた内部無線通信にて第２筐体部２から第１筐体部１に送り、外部無線通信用アンテナ６を介して外部に送出させることができる。
【００５８】
これにより、第１筐体部１と第２筐体部２との間のデータ伝送を有線で行う必要がなくなり、多ピン化されたフレキシブル配線基板をヒンジ３に通す必要がなくなる。このため、ヒンジ３の構造の複雑化を抑制することが可能となるとともに、実装工程の煩雑化を防止することが可能となり、コストアップを抑制しつつ、携帯電話の小型薄型化および高信頼性化を図ることが可能となるとともに、携帯電話の携帯性を損なうことなく、携帯電話の大画面化および多機能化を図ることができる。
【００５９】
なお、外部無線通信用アンテナ６は第１筐体部１に装着されているが、第２筐体部２に装着してもよい。この場合の方が使用時において第２筐体部２によって外部無線通信用アンテナ６が遮られることがなく、能率のよい通信が期待できる。この場合には、第１筐体部１に内蔵される携帯電話の通信制御部から同軸ケーブルなどにより外部無線通信用アンテナ６に給電することができる。
【００６０】
また、第１筐体部１と第２筐体部２との間で内部無線通信を行う場合、周波数ホッピング方式を用いることができ、周波数ホッピングを行わせるための情報を第１筐体部１と第２筐体部２との双方に有線で送出するようにしてもよい。これにより、周波数ホッピングを行わせるための情報を第１筐体部１と第２筐体部２との間で無線にて送る必要がなくなり、受信信号からホッピングパターンを推定し、初期同期捕捉を行う必要がなくなるとともに、受信側でホッピングパターンに正しく同期できないような劣悪な通信環境においても、周波数ホッピングを安定して行わせることが可能となる。この結果、無線受信部の回路構成を簡略化することが可能となるとともに、同期を取るためだけに必要となるプリアンブル信号の出力が不要となり、通信スループットを向上させることができる。
【００６１】
また、ホッピングまたはチャーピングにて周波数が変化する局部発振信号を第１筐体部１と第２筐体部２との双方に有線で送出するようにしてもよい。これにより、高速伝送の困難な信号群の伝送を無線により伝送し、送信データの高速化に伴う様々な問題を回避するとともに、無線伝送に必要な局部発振信号を有線で送信することで、無線化に伴うシステムの複雑化の回避ができる。
【００６２】
図３は、本発明の無線通信制御方法が適用される回転式携帯電話の外観を示す斜視図である。
図３において、第１筐体部２１の表面には、操作ボタン２４が配置されるとともに、第１筐体部２１の下端にはマイク２５が設けられ、第１筐体部２１の上端には外部無線通信用アンテナ２６が取り付けられている。また、第２筐体部２２の表面には、表示体２８が設けられるとともに、第２筐体部２２の上端にはスピーカ２９が設けられている。また、第１筐体部２１および第２筐体部２２には、第１筐体部２１と第２筐体部２２との間で内部無線通信を行う内部無線通信用アンテナ２７、３０がそれぞれ設けられている。
【００６３】
そして、第１筐体部２１および第２筐体部２２はヒンジ２３を介して連結され、第２筐体部２２をヒンジ２３を支点として水平に回転させることにより、第２筐体部２２を第１筐体部２１上に重ねて配置したり、第２筐体部２２を第１筐体部２１からずらしたりすることができる。そして、第２筐体部２２を第１筐体部２１上に重ねて配置することにより、操作ボタン２４を第２筐体部２２にて保護することができ、携帯電話を持ち歩く時に操作ボタン２４が誤って操作させることを防止することができる。また、第２筐体部２２を水平に回転させて、第２筐体部２２を第１筐体部２１からずらすことにより、表示体２８を見ながら操作ボタン２４を操作したり、スピーカ２９およびマイク２５を使いながら通話したりすることができる。
【００６４】
ここで、内部無線通信用アンテナ２７、３０を第１筐体部２１および第２筐体部２２にそれぞれ設けることにより、内部無線通信用アンテナ２７、３０を用いた内部無線通信にて第１筐体部２１と第２筐体部２２との間のデータ伝送を行うことができる。例えば、外部無線通信用アンテナ２６を介して第１筐体部２１に取り込まれた画像データや音声データを、内部無線通信用アンテナ２７、３０を用いた内部無線通信にて第２筐体部２２に送り、表示体２８に画像を表示させたり、スピーカ２９から音声を出力させたりすることができる。
【００６５】
これにより、多ピン化されたフレキシブル配線基板をヒンジ２３に通す必要がなくなり、ヒンジ２３の構造の複雑化を抑制することが可能となるとともに、実装工程の煩雑化を防止することが可能となる。このため、コストアップを抑制しつつ、携帯電話の小型薄型化および高信頼性化を図ることが可能となるとともに、携帯電話の携帯性を損なうことなく、携帯電話の大画面化および多機能化を図ることができる。
【００６６】
なお、第１筐体部２１と第２筐体部２２との間で内部無線通信を行う場合、周波数ホッピング方式を用いることができ、周波数ホッピングを行わせるための情報を第１筐体部２１と第２筐体部２２との双方に有線で送出するようにしてもよい。また、ホッピングまたはチャーピングにて周波数が変化する局部発振信号を第１筐体部２１と第２筐体部２２との双方に有線で送出するようにしてもよい。
【００６７】
また、上述した実施形態では、携帯電話を例にとって説明したが、ビデオカメラ、ＰＤＡ（Ｐｅｒｓｏｎａｌ  Ｄｉｇｉｔａｌ  Ａｓｓｉｓｔａｎｃｅ）、ノート型パーソナルコンピュータなどに適用することもできる。
図４は、本発明の第１実施形態に係る無線通信端末の概略構成を示すブロック図である。
【００６８】
図４において、第１筐体部Ｋ１１には、第１筐体部Ｋ１１と第２筐体部Ｋ１２との間の通信処理全体を制御する制御部１０１、周波数ホッピングパターンを記憶する周波数ホッピングパターンメモリ１１２、制御部１０１からの制御に従って周波数指定信号を周波数シンセサイザ１１４、１１５に有線にて送出するホッピング制御装置１１３、送信データをベースバンド信号に変換する変調回路１０２、ホッピング制御装置１１３から送られた周波数指定信号に基づいて局部発振信号を生成する周波数シンセサイザ１１４、変調回路１０２から出力されたベースバンド信号に周波数シンセサイザ１１４から出力された局部発振信号を混合する混合器１０３、混合器１０３から出力された信号を増幅するアンプ１０４および内部無線通信用電波の送信を第１筐体部Ｋ１１側で行う内部無線通信用アンテナ１０５が設けられている。
【００６９】
また、第２筐体部Ｋ１２には、内部無線通信用電波の受信を第２筐体部Ｋ１２側で行う内部無線通信用アンテナ１０６、内部無線通信用アンテナ１０６にて受信された受信信号に含まれる不要な周波数成分を減衰させるバンドパスフィルタ１０７、バンドパスフィルタ１０７から出力された受信信号を増幅するローノイズアンプ１０８、ホッピング制御装置１１３から送られた周波数指定信号に基づいて局部発振信号を生成する周波数シンセサイザ１１５、ローノイズアンプ１０８から出力された受信信号に周波数シンセサイザ１１５から出力された局部発振信号を混合する混合器１０９、混合器１０９からの出力信号に含まれる不要な高周波成分を減衰させるローパスフィルタ１１０、ローパスフィルタ１１０から出力された受信信号の復調処理を行う復調回路１１１および復調回路１１１から出力された信号の処理を行う制御部１１６が設けられている。
【００７０】
図５は、周波数ホッピングパターンの構成例を示す図である。
図５において、周波数ホッピングパターンメモリ１１２には、複数のホッピングパターンＰ１〜ＰＮが記憶され、各ホッピングパターンＰ１〜ＰＮには、ホッピング周波数系列が設定されている。例えば、ホッピングパターンＰ１には、ｆ１、ｆ１０、ｆ２７、ｆ７、ｆ９、ｆ１２、・・・、ｆ２２というホッピング周波数系列が設定され、ホッピングパターンＰ２には、ｆ１４、ｆ２２、ｆ３１、ｆ５、ｆ２４、ｆ７、・・・、ｆ３というホッピング周波数系列が設定されている。
【００７１】
そして、制御部１０１が、送信データを変調回路１０２に送ると、変調回路１０２は送信データをベースバンド信号に変換し、混合器１０３に出力する。また、制御部１０１は、所定の周波数ホッピングシーケンスを特定する情報をホッピング制御装置１１３に送る。なお、所定の周波数ホッピングシーケンスを特定する情報としては、図５のホッピングパターンＰ１〜ＰＮを選択する情報やホッピングタイミングを示す情報などを含むことができる。そして、ホッピング制御装置１１３は、周波数ホッピングシーケンスを特定する情報を受け取ると、図５のホッピングパターンＰ１〜ＰＮの中から１つのホッピングパターンを選択する。そして、選択したホッピングパターンに含まれるホッピング周波数系列を周波数ホッピングパターンメモリ１１２から読み出し、そのホッピング周波数系列を周波数指定信号として所定の周期で周波数シンセサイザ１１４、１１５に有線にて送出する。そして、周波数シンセサイザ１１４、１１５は、周波数指定信号で特定される周波数の局部発振信号をそれぞれ生成し、混合器１０３、１０９にそれぞれ出力する。
【００７２】
そして、混合器１０３は、変調回路１０２から出力されたベースバンド信号と、周波数シンセサイザ１１４から供給された局部発振信号とを混合し、変調回路１０２から出力されたベースバンド信号を搬送波に重畳させることにより、送信データのアップコンバートを行う。そして、変調回路１０２から出力されたベースバンド信号が搬送波に重畳されると、アンプ１０４にて増幅された後、内部無線通信用アンテナ１０５を介して送出される。そして、内部無線通信用アンテナ１０５を介して送信データが送信されると、その送信データが内部無線通信用アンテナ１０６を介して受信される。
【００７３】
そして、内部無線通信用アンテナ１０６を介して受信された受信信号は、バンドパスフィルタ１０７にて不要な周波数成分が減衰された後、ローノイズアンプ１０８にて増幅される。そして、ローノイズアンプ１０８にて増幅された受信信号は、混合器１０９に送られる。そして、混合器１０９は、ローノイズアンプ１０８から送られた受信信号と、周波数シンセサイザ１１５から供給された局部発振信号とを混合し、受信信号のダウンコンバートを行う。
【００７４】
そして、混合器１０９から出力された信号は、ローパスフィルタ１１０にて不要な高周波成分が減衰された後、復調回路１１１に送られる。そして、復調回路１１１にて復調処理が行われた後、制御部１１６を介して表示処理や記憶処理などの各種処理を施すことができる。
ここで、周波数ホッピングパターンメモリ１１２から読み出したホッピング周波数系列を周波数指定信号として所定の周期で周波数シンセサイザ１１４、１１５に有線にて送出することにより、周波数ホッピングを行わせるための情報を送信側および受信側の双方で共有することが可能となる。このため、周波数ホッピングを行わせるための情報を無線で送る必要がなくなり、受信側でホッピングパターンに正しく同期できないような劣悪な通信環境においても、送信側および受信側の双方で周波数ホッピングを安定して行わせることが可能となる。
【００７５】
また、受信信号からホッピングパターンを受信側で推定する必要がなくなることから、初期同期捕捉を行う必要がなくなり、受信回路の構成を簡略化することができる。さらに、同期時間は周波数シンセサイザ１１４、１１５のセントリングタイムだけでよく、同期を取るためだけに必要となるプリアンブル信号の出力が不要となることから、通信スループットを向上させることができる。
【００７６】
なお、上述した実施形態では、周波数ホッピングパターンメモリ１１２およびホッピング制御装置１１３を第１筐体部Ｋ１１に設ける方法について説明したが、周波数ホッピングパターンメモリ１１２およびホッピング制御装置１１３を第２筐体部Ｋ１２に設けるようにしてもよい。また、ホッピング制御装置１１３がホッピングパターンＰ１〜ＰＮを取得できるようにするため、周波数ホッピングパターンメモリ１１２を設ける方法について説明したが、特定のホッピングパターンを生成するホッピングパターン生成回路を設けるようにしてもよい。また、ホッピング制御装置１１３は一定の周期で周波数ホッピングを行わせる方法について説明したが、周波数ホッピングをランダムに行わせるようにしてもよい。
【００７７】
図６は、本発明の第２実施形態に係る無線通信端末の概略構成を示すブロック図である。
図６において、第１筐体部Ｋ２１には、第１筐体部Ｋ２１と第２筐体部Ｋ２２との間の通信処理全体を制御する制御部３０１、周波数ホッピングパターンを記憶する周波数ホッピングパターンメモリ３１６、制御部３０１からの制御に従って周波数指定信号を周波数シンセサイザ３１４、３１５に有線にて送出するホッピング制御装置３１７、送信データをベースバンド信号に変換したり、受信信号の復調処理を行ったりする変復調回路３０２、ホッピング制御装置３１７から送られた周波数指定信号に基づいて局部発振信号を生成する周波数シンセサイザ３１４、内部無線通信用アンテナ３０６を介して行われる無線送信の制御を司る送信部３０３、内部無線通信用アンテナ３０６を介して行われる無線受信の制御を司る受信部３０４、内部無線通信用電波の送受信を第１筐体部Ｋ２１側で行う内部無線通信用アンテナ３０６、内部無線通信用アンテナ３０６への切り替えを送信部３０３と受信部３０４との間で行うスイッチ３０５および周波数シンセサイザ３１４への切り替えを送信部３０３と受信部３０４との間で行うスイッチ３１２が設けられている。
【００７８】
また、第２筐体部Ｋ２２には、内部無線通信用電波の送受信を第２筐体部Ｋ２２側で行う内部無線通信用アンテナ３０７、ホッピング制御装置３１７から送られた周波数指定信号に基づいて局部発振信号を生成する周波数シンセサイザ３１５、内部無線通信用アンテナ３０７を介して行われる無線送信の制御を司る送信部３０９、内部無線通信用アンテナ３０７を介して行われる無線受信の制御を司る受信部３１０、内部無線通信用アンテナ３０７への切り替えを送信部３０９と受信部３１０との間で行うスイッチ３０８および周波数シンセサイザ３１５への切り替えを送信部３０９と受信部３１０との間で行うスイッチ３１３、送信データをベースバンド信号に変換したり、受信信号の復調処理を行ったりする変復調回路３１１および変復調回路３１１から出力された信号の処理を行う制御部３１８が設けられている。
【００７９】
そして、第１筐体部Ｋ２１から第２筐体部Ｋ２２へのデータ伝送を行う場合、スイッチ３０５、３１２を送信部３０３側に切り替えるとともに、スイッチ３０８、３１３を受信部３１０側に切り替える。そして、制御部３０１から出力された送信データは変復調回路３０２にてベースバンド信号に変換され、送信部３０３に送られる。
また、制御部３０１は、所定の周波数ホッピングシーケンスを特定する情報をホッピング制御装置３１７に送る。そして、ホッピング制御装置３１７は、周波数ホッピングシーケンスを特定する情報を受け取ると、特定のホッピングパターンを選択する。そして、選択したホッピングパターンに配列されたホッピング周波数系列を周波数ホッピングパターンメモリ３１６から読み出し、そのホッピング周波数系列を周波数指定信号として周波数シンセサイザ３１４、３１５に有線にて送出する。そして、周波数シンセサイザ３１４、３１５は、周波数指定信号で特定される周波数の局部発振信号をそれぞれ生成し、スイッチ３１２、３１３をそれぞれ介して送信部３０３および受信部３１０にそれぞれ出力する。
【００８０】
そして、送信部３０３は、変復調回路３０２から出力されたベースバンド信号と、周波数シンセサイザ３１４から供給された局部発振信号とを混合し、変復調回路３０２から出力されたベースバンド信号を搬送波に重畳させることにより、送信データのアップコンバートを行う。そして、変復調回路３０２から出力されたベースバンド信号が搬送波に重畳されると、スイッチ３０５を介して内部無線通信用アンテナ３０６に送り、内部無線通信用アンテナ３０６を介して送出させる。そして、内部無線通信用アンテナ３０６を介して送信データが送信されると、その送信データが内部無線通信用アンテナ３０７を介して受信される。
【００８１】
そして、内部無線通信用アンテナ３０７にて受信された受信信号は、スイッチ３０８を介して受信部３１０に送られる。そして、受信部３１０は、内部無線通信用アンテナ３０７にて受信された受信信号と、周波数シンセサイザ３１５から供給された局部発振信号とを混合し、受信信号のダウンコンバートを行う。そして、受信部３１０から出力された信号は、変復調回路３１１に送られ、変復調回路３１１にて復調処理が行われた後、制御部３１８を介して表示処理や記憶処理などの各種処理を施すことができる。
【００８２】
一方、第２筐体部Ｋ２２から第１筐体部Ｋ２１へのデータ伝送を行う場合、スイッチ３０５、３１２を受信部３０４側に切り替えるとともに、スイッチ３０８、３１３を送信部３０９側に切り替える。そして、制御部３１８から出力された送信データは変復調回路３１１にてベースバンド信号に変換され、送信部３０９に送られる。
また、制御部３０１は、所定の周波数ホッピングシーケンスを特定する情報をホッピング制御装置３１７に送る。そして、ホッピング制御装置３１７は、周波数ホッピングシーケンスを特定する情報を受け取ると、特定のホッピングパターンを選択する。そして、選択したホッピングパターンに配列されたホッピング周波数系列を周波数ホッピングパターンメモリ３１６から読み出し、そのホッピング周波数系列を周波数指定信号として周波数シンセサイザ３１４、３１５に有線にて送出する。そして、周波数シンセサイザ３１４、３１５は、周波数指定信号で特定される周波数の局部発振信号をそれぞれ生成し、スイッチ３１２、３１３をそれぞれ介して送信部３０９および受信部３０４にそれぞれ出力する。
【００８３】
そして、送信部３０９は、変復調回路３１１から出力されたベースバンド信号と、周波数シンセサイザ３１５から供給された局部発振信号とを混合し、変復調回路３１１から出力されたベースバンド信号を搬送波に重畳させることにより、送信データのアップコンバートを行う。そして、変復調回路３１１から出力されたベースバンド信号が搬送波に重畳されると、スイッチ３０８を介して内部無線通信用アンテナ３０７に送り、内部無線通信用アンテナ３０７を介して送出させる。そして、内部無線通信用アンテナ３０７を介して送信データが送信されると、その送信データが内部無線通信用アンテナ３０６を介して受信される。
【００８４】
そして、内部無線通信用アンテナ３０６にて受信された受信信号は、スイッチ３０５を介して受信部３０４に送られる。そして、受信部３０４は、内部無線通信用アンテナ３０６にて受信された受信信号と、周波数シンセサイザ３１４から供給された局部発振信号とを混合し、受信信号のダウンコンバートを行う。そして、受信部３０４から出力された信号は、変復調回路３０２に送られ、変復調回路３０２にて復調処理が行われた後、制御部３０１を介して表示処理や記憶処理などの各種処理を施すことができる。
【００８５】
これにより、送信部３０３、３０９を第１筐体部Ｋ２１および第２筐体部Ｋ２２にそれぞれ設けるとともに、および受信部３０４、３１０を第１筐体部Ｋ２１および第２筐体部Ｋ２２にそれぞれ設けた場合においても、周波数シンセサイザ３１４、３１５でホッピング制御装置３１７を共有することが可能となる。このため、受信側でホッピングパターンに正しく同期できないような劣悪な通信環境においても、第１筐体部Ｋ２１と第２筐体部Ｋ２２との間で双方向通信を行うことを可能としつつ、送信側および受信側の双方で周波数ホッピングを安定して行わせることが可能となる。
【００８６】
図７は、本発明の第３実施形態に係る無線通信端末の概略構成を示すブロック図である。
図７において、第１筐体部Ｋ３１には、制御部４０１、変復調回路４０２、ホッピング制御装置４２０、周波数シンセサイザ４１５、送信部４０３、受信部４０４、内部無線通信用アンテナ４０６、スイッチ４０５、４１２、受信部４０４にて受信された受信信号の誤り率を検出する誤り率検出回路４１４およびホッピングパターン制御部４２１が設けられている。ここで、ホッピングパターン制御部４２１には、誤り率検出回路４１４にて検出された誤り率に基づいてホッピングパターンを更新する周波数ホッピングパターン更新装置４１８および周波数ホッピングパターンメモリ４１９が設けられている。
【００８７】
また、第２筐体部Ｋ３２には、内部無線通信用アンテナ４０７、周波数シンセサイザ４１６、送信部４０９、受信部４１０、スイッチ４０８、４１３、受信部４１０にて受信された受信信号の誤り率を検出する誤り率検出回路４１７、変復調回路４１１および制御部４２２が設けられている。
そして、第１筐体部Ｋ３１から第２筐体部Ｋ３２へのデータ伝送を行う場合、スイッチ４０５、４１２を送信部４０３側に切り替えるとともに、スイッチ４０８、４１３を受信部４１０側に切り替える。そして、制御部４０１から出力された送信データは変復調回路４０２にてベースバンド信号に変換され、送信部４０３に送られる。
【００８８】
また、制御部４０１は、所定の周波数ホッピングシーケンスを特定する情報をホッピング制御装置４２０に送る。そして、ホッピング制御装置４２０は、周波数ホッピングシーケンスを特定する情報を受け取ると、特定のホッピングパターンを選択する。そして、選択したホッピングパターンに含まれるホッピング周波数系列を周波数ホッピングパターンメモリ４１９から読み出し、そのホッピング周波数系列を周波数指定信号として周波数シンセサイザ４１５、４１６に有線にて送出する。そして、周波数シンセサイザ４１５、４１６は、周波数指定信号で特定される周波数の局部発振信号をそれぞれ生成し、スイッチ４１２、４１３をそれぞれ介して送信部４０３および受信部４１０にそれぞれ出力する。
【００８９】
そして、送信部４０３は、変復調回路４０２から出力されたベースバンド信号と、周波数シンセサイザ４１４から供給された局部発振信号とを混合し、変復調回路４０２から出力されたベースバンド信号を搬送波に重畳させることにより、送信データのアップコンバートを行う。そして、変復調回路４０２から出力されたベースバンド信号が搬送波に重畳されると、スイッチ４０５を介して内部無線通信用アンテナ４０６に送り、内部無線通信用アンテナ４０６を介して送出させる。そして、内部無線通信用アンテナ４０６を介して送信データが送信されると、その送信データが内部無線通信用アンテナ４０７を介して受信される。
【００９０】
そして、内部無線通信用アンテナ４０７にて受信された受信信号は、スイッチ４０８を介して受信部４１０に送られる。そして、受信部４１０は、内部無線通信用アンテナ４０７にて受信された受信信号と、周波数シンセサイザ４１６から供給された局部発振信号とを混合し、受信信号のダウンコンバートを行う。そして、受信部４１０から出力された信号は、変復調回路４１１に送られ、変復調回路４１１にて復調処理が行われた後、制御部４２２を介して表示処理や記憶処理などの各種処理を施すことができる。
【００９１】
また、誤り率検出回路４１７は、変復調回路４１１にて復調処理が行われた信号に基づいて受信信号の誤り率を検出し、検出された誤り率をホッピングパターン更新装置４１８に出力する。なお、誤り率としては、例えば、ＢＥＲまたはＰＥＲを用いることができる。また、誤り率の代わりに、ＲＳＳＩなどの電波の受信品質を用いるようにしてもよい。
そして、周波数ホッピングパターン更新装置４１８は、誤り率検出回路４１７から誤り率を受け取ると、その誤り率に基づいて、周波数ホッピングパターンメモリ４１９に記憶されているホッピングパターンを更新する。例えば、周波数ホッピングパターン更新装置４１８は、受信信号の誤り率が所定値以上の場合には、現在の通信に使われているホッピング周波数にフラグを立て、そのフラグを周波数ホッピングパターンメモリ４１９に記憶することができる。そして、ホッピング制御装置４２０は、周波数ホッピングパターンメモリ４１９に記憶されているホッピングパターンからホッピング周波数を読み出す場合、そのホッピング周波数にフラグが立っているかどうかを判断する。そして、フラグが立っているホッピング周波数を飛ばしながら、ホッピングパターンのホッピング周波数系列を周波数指定信号として周波数シンセサイザ４１５、４１６に有線にて送出することができる。
【００９２】
一方、第２筐体部Ｋ３２から第１筐体部Ｋ３１へのデータ伝送を行う場合、スイッチ４０５、４１２を受信部４０４側に切り替えるとともに、スイッチ４０８、４１３を送信部４０９側に切り替える。そして、制御部４２２から出力された送信データは変復調回路４１１にてベースバンド信号に変換され、送信部４０９に送られる。
また、制御部４０１は、所定の周波数ホッピングシーケンスを特定する情報をホッピング制御装置４２０に送る。そして、ホッピング制御装置４２０は、周波数ホッピングシーケンスを特定する情報を受け取ると、特定のホッピングパターンを選択する。そして、選択したホッピングパターンに配列されたホッピング周波数系列を周波数ホッピングパターンメモリ４１９から読み出し、そのホッピング周波数系列を周波数指定信号として周波数シンセサイザ４１５、４１６に有線にて送出する。そして、周波数シンセサイザ４１５、４１６は、周波数指定信号で特定される周波数の局部発振信号をそれぞれ生成し、スイッチ４１２、４１３をそれぞれ介して送信部４０９および受信部４０４にそれぞれ出力する。
【００９３】
そして、送信部４０９は、変復調回路４１１から出力されたベースバンド信号と、周波数シンセサイザ４１６から供給された局部発振信号とを混合し、変復調回路４１１から出力されたベースバンド信号を搬送波に重畳させることにより、送信データのアップコンバートを行う。そして、変復調回路４１１から出力されたベースバンド信号が搬送波に重畳されると、スイッチ４０８を介して内部無線通信用アンテナ４０７に送り、内部無線通信用アンテナ４０７を介して送出させる。そして、内部無線通信用アンテナ４０７を介して送信データが送信されると、その送信データが内部無線通信用アンテナ４０６を介して受信される。
【００９４】
そして、内部無線通信用アンテナ４０６にて受信された受信信号は、スイッチ４０５を介して受信部４０４に送られる。そして、受信部４０４は、内部無線通信用アンテナ４０６にて受信された受信信号と、周波数シンセサイザ４１５から供給された局部発振信号とを混合し、受信信号のダウンコンバートを行う。そして、受信部４０４から出力された信号は、変復調回路４０２に送られ、変復調回路４０２にて復調処理が行われた後、制御部４０１を介して表示処理や記憶処理などの各種処理を施すことができる。
【００９５】
また、誤り率検出回路４１４は、変復調回路４０２にて復調処理が行われた信号に基づいて受信信号の誤り率を検出し、検出された誤り率を周波数ホッピングパターン更新装置４１８に出力する。そして、周波数ホッピングパターン更新装置４１８は、誤り率検出回路４１４から誤り率を受け取ると、その誤り率に基づいて、周波数ホッピングパターンメモリ４１９に記憶されているホッピングパターンを更新する。そして、ホッピング制御装置４２０は、更新されたホッピングパターンをホッピングパターンメモリ４１９から読み出し、そのホッピングパターンのホッピング周波数系列を周波数指定信号として周波数シンセサイザ４１５、４１６に有線にて送出する。
【００９６】
これにより、周波数ホッピングを行わせるための情報を送信側および受信側の双方で共有しながら、現在の通信環境に応じて、ホッピング周波数を適応的に変化させることが可能となる。このため、通信状況が悪い周波数を避けながら、送信側および受信側の双方で周波数ホッピングを安定して行わせることが可能となり、受信側でホッピングパターンに正しく同期できないような劣悪な通信環境においても、周波数ホッピング方式による無線通信の品質の劣化を抑制することが可能となるとともに、通信スループットを向上させることができる。
【００９７】
なお、上述した実施形態では、誤り率検出回路４１４、４１７を第１筐体部Ｋ３１および第２筐体部Ｋ３２にそれぞれ設ける方法について説明したが、第１筐体部Ｋ３１側にのみ誤り率検出回路４１４を設けるようにしてもよい。また、図７の実施形態では、双方向通信を例にとって説明したが、単方向通信に適用するようにしてもよい。また、過去の通信に使用されたホッピング周波数とＢＥＲなどの情報のログを記憶し、ＢＥＲが良いホッピング周波数を優先して使用するようにしてもよい。また、ＢＥＲが良い方のホッピング周波数から順に一定数の使用可能なホッピング周波数を確保するようにしてもよい。
【００９８】
図８は、図７のホッピングパターン制御部４２１のその他の構成例を示すブロック図である。
図８において、周波数ホッピングパターン制御部４２２には、ホッピングパターン生成回路５０１およびホッピングパターン決定回路５０２が設けられている。そして、図７のホッピングパターン制御部４２１を図８のホッピングパターン制御部４２２に置き換えるようにしてもよい。
【００９９】
ここで、ホッピングパターン生成回路５０１は特定のホッピングパターンを生成し、生成したホッピングパターンを周波数ホッピングパターン決定回路５０２に出力する。そして、周波数ホッピングパターン決定回路５０２は、誤り率検出回路４１４、４１７にて検出された誤り率に基づいて、ホッピングパターン生成回路５０１にて生成されたホッピングパターンのホッピング周波数を使用するかどうかを決定することができる。
【０１００】
なお、上述した実施形態では、１つの周波数に留まる時間（スロット長）は、予め決めておくことができ、この区間は同じ周波数で通信を行うことができる。例えば、Ｂｌｕｅｔｏｏｔｈでは、１スロットは６２５ｕｓと決められており、ＴＤＤによりマスタとスレーブとが決まったスロットで通信を行う。
図９は、本発明の第４実施形態に係る無線通信端末の概略構成を示すブロック図である。
【０１０１】
図９において、第１筐体部Ｋ４１には、制御部６０１、周波数ホッピングパターンメモリ６１６、変復調回路６０２、ホッピング制御装置６１７、周波数シンセサイザ６１４、送信部６０３、受信部６０４、内部無線通信用アンテナ６０６およびスイッチ６０５、６１２が設けられている。
また、第２筐体部Ｋ４２には、内部無線通信用アンテナ６０７、周波数シンセサイザ６１５、送信部６０９、受信部６１０、スイッチ６０８、６１３、変復調回路６１１および制御部６１８が設けられている。
【０１０２】
そして、第１筐体部Ｋ４１から第２筐体部Ｋ４２へのデータ伝送を行う場合、スイッチ６０５、６１２を送信部６０３側に切り替えるとともに、スイッチ６０８、６１３を受信部６１０側に切り替える。
そして、制御部６０１は、今回送信される送信データのデータ量に基づいてスロット長を設定し、そのスロット長に対応したホッピングタイミングをホッピング制御装置６１７に送る。そして、ホッピング制御装置６１７は、周波数ホッピングパターンメモリ６１６から特定のホッピングパターンを選択し、制御部６０１にて指定されたホッピングタイミングに従って、選択したホッピングパターンに含まれるホッピング周波数系列を周波数指定信号として周波数シンセサイザ６１４、６１５に有線にて送出する。そして、周波数シンセサイザ６１４、６１５は、周波数指定信号で特定される周波数の局部発振信号をそれぞれ生成し、スイッチ６１２、６１３をそれぞれ介して送信部６０３および受信部６１０にそれぞれ出力する。
【０１０３】
そして、周波数シンセサイザ６１４、６１５は、局部発振信号の周波数が特定の周波数にロックしたかどうかをそれぞれ検出し、局部発振信号の周波数がロックすると、ロック検出信号を制御部６０１にそれぞれ送る。そして、制御部６０１は、周波数シンセサイザ６１４、６１５からロック検出信号を受け取ると、送信データを変復調回路６０２に送る。そして、変復調回路６０は送信データをベースバンド信号に変換し、送信部６０３に送る。
【０１０４】
そして、送信部６０３は、変復調回路６０２から出力されたベースバンド信号と、周波数シンセサイザ６１４から供給された局部発振信号とを混合し、変復調回路６０２から出力されたベースバンド信号を搬送波に重畳させることにより、送信データのアップコンバートを行う。そして、変復調回路６０２から出力されたベースバンド信号が搬送波に重畳されると、スイッチ６０５を介して内部無線通信用アンテナ６０６に送り、内部無線通信用アンテナ６０６を介して送出させる。そして、内部無線通信用アンテナ６０６を介して送信データが送信されると、その送信データが内部無線通信用アンテナ６０７を介して受信される。
【０１０５】
そして、内部無線通信用アンテナ６０７にて受信された受信信号は、スイッチ６０８を介して受信部６１０に送られる。そして、受信部６１０は、内部無線通信用アンテナ６０７にて受信された受信信号と、周波数シンセサイザ６１５から供給された局部発振信号とを混合し、受信信号のダウンコンバートを行う。そして、受信部６１０から出力された信号は、変復調回路６１１に送られ、変復調回路６１１にて復調処理が行われた後、制御部６１８を介して表示処理や記憶処理などの各種処理を施すことができる。
【０１０６】
これにより、周波数ホッピングを行わせるための情報を送信側および受信側の双方で共有しながら、スロット長を変化させることが可能となる。このため、送信側および受信側の双方で周波数ホッピングを安定して行わせることを可能としつつ、データ通信を効率よく行わせることが可能となり、受信側でホッピングパターンに正しく同期できないような劣悪な通信環境においても、周波数ホッピング方式による無線通信の品質の劣化を抑制することが可能となるとともに、通信スループットを向上させることができる。
【０１０７】
また、データ通信の負荷状況によりスロット長を可変できるため、データ量が多い時はスロット長を長くするとともに、データ量が少ない時はスロット長を短くすることができる。このため、データ量が少ない時にダミーデータを入れて送る必要がなくなり、無駄な電力消費を防ぐことが可能となる。
一方、第２筐体部Ｋ４２から第１筐体部Ｋ４１へのデータ伝送を行う場合、スイッチ６０５、６１２を受信部６０４側に切り替えるとともに、スイッチ６０８、６１３を送信部６０９側に切り替える。そして、制御部６１８から出力された送信データは変復調回路６１１にてベースバンド信号に変換され、送信部６０９に送られる。
【０１０８】
また、制御部６０１は、所定の周波数ホッピングシーケンスを特定する情報をホッピング制御装置６１７に送る。そして、ホッピング制御装置６１７は、周波数ホッピングシーケンスを特定する情報を受け取ると、特定のホッピングパターンを選択する。そして、選択したホッピングパターンに配列されたホッピング周波数系列を周波数ホッピングパターンメモリ６１６から読み出し、そのホッピング周波数系列を周波数指定信号として周波数シンセサイザ６１４、６１５に有線にて送出する。そして、周波数シンセサイザ６１４、６１５は、周波数指定信号で特定される周波数の局部発振信号をそれぞれ生成し、スイッチ６１２、６１３をそれぞれ介して送信部６０９および受信部６０４にそれぞれ出力する。
【０１０９】
そして、送信部６０９は、変復調回路６１１から出力されたベースバンド信号と、周波数シンセサイザ６１５から供給された局部発振信号とを混合し、変復調回路６１１から出力されたベースバンド信号を搬送波に重畳させることにより、送信データのアップコンバートを行う。そして、変復調回路６１１から出力されたベースバンド信号が搬送波に重畳されると、スイッチ６０８を介して内部無線通信用アンテナ６０７に送り、内部無線通信用アンテナ６０７を介して送出させる。そして、内部無線通信用アンテナ６０７を介して送信データが送信されると、その送信データが内部無線通信用アンテナ６０６を介して受信される。
【０１１０】
そして、内部無線通信用アンテナ６０６にて受信された受信信号は、スイッチ６０５を介して受信部６０４に送られる。そして、受信部６０４は、内部無線通信用アンテナ６０６にて受信された受信信号と、周波数シンセサイザ６１４から供給された局部発振信号とを混合し、受信信号のダウンコンバートを行う。そして、受信部６０４から出力された信号は、変復調回路６０２に送られ、変復調回路６０２にて復調処理が行われた後、制御部６０１を介して表示処理や記憶処理などの各種処理を施すことができる。
【０１１１】
なお、上述した実施形態では、周波数シンセサイザ６１４、６１５から出力されたロック検出信号を制御部６０１側にのみ送る方法について説明したが、周波数シンセサイザ６１４、６１５から出力されたロック検出信号を制御部６１８にも送り、第２筐体部Ｋ４２から第１筐体部Ｋ４１へのデータ伝送を行う場合においても、スロット長を変えられるようにしてもよい。
【０１１２】
また、上述した実施形態では、制御部６０１は、周波数シンセサイザ６１４、６１５から出力されたロック検出信号を受け取ってから、データ送信を開始する方法について説明したが、予め設定された時間だけ待機した後に、データ送信を開始するようにしてもよい。
図１０は、図９の無線通信端末の変形例を示すブロック図である。
【０１１３】
図１０において、受信部６０４にて受信された受信信号の誤り率を検出する誤り率検出回路７０１が設けられている。そして、制御部６０１は、誤り率検出回路７０１にて検出された誤り率に基づいてスロット長を設定することができる。例えば、誤り率検出回路７０１は、特定の周波数の誤り率を監視し、制御部６０１は、誤り率が悪い時にはすぐに次の周波数にホッピングするようにホッピング制御装置６１７に指示することができる。これにより、誤り率の悪い周波数に留まる時間を短くすることができ、通信品質を向上させることができる。その場合、片方向の誤り率のみで判断しても良いし、もう片方の誤り率を制御部６０１へフィードバックするように構成してもよい。また、誤り率だけでなく、ＲＳＳＩなどの電波の受信品質から判断するようにしてもよい。
【０１１４】
図１１は、本発明の第５実施形態に係る無線通信端末の概略構成を示すブロック図である。
図１１において、第１筐体部Ｋ５１には、制御部８０１、周波数ホッピングパターンメモリ８１６、変復調回路８０２、ホッピング制御装置８１７、受信周波数シンセサイザ８１２、送信周波数シンセサイザ８１３、送信部８０３、受信部８０４および内部無線通信用アンテナ８０５、８０６が設けられている。
【０１１５】
また、第２筐体部Ｋ５２には、内部無線通信用アンテナ８０７、８０８、送信部８０９、受信部８１０、送信周波数シンセサイザ８１４、受信周波数シンセサイザ８１５、変復調回路８１１および制御部８１８が設けられている。
そして、第１筐体部Ｋ５１と第２筐体部Ｋ５２との間で双方向通信を行う場合、制御部８０１、８１８は、送信データを変復調回路８０２、８１０にそれぞれ出力する。そして、制御部８０１、８１８から出力された送信データは変復調回路８０２、８１０にてそれぞれベースバンド信号に変換され、送信部８０３、８０９にそれぞれ送られる。
【０１１６】
また、制御部８０１は、所定の周波数ホッピングシーケンスを特定する情報をホッピング制御装置８１７に送る。そして、ホッピング制御装置８１７は、周波数ホッピングシーケンスを特定する情報を受け取ると、特定のホッピングパターンを選択する。そして、選択したホッピングパターンに含まれるホッピング周波数系列を周波数ホッピングパターンメモリ８１６から読み出し、そのホッピング周波数系列を周波数指定信号として送信周波数シンセサイザ８１３、８１４および受信周波数シンセサイザ８１２、８１５に有線にて送出する。そして、送信周波数シンセサイザ８１３、８１４および受信周波数シンセサイザ８１２、８１５は、周波数指定信号で特定される周波数の局部発振信号をそれぞれ生成し、送信部８０３、８０９および受信部８０４、８１０にそれぞれ出力する。
【０１１７】
そして、送信部８０３、８０９は、変復調回路８０２、８１１からそれぞれ出力されたベースバンド信号と、送信周波数シンセサイザ８１３、８１４からそれぞれ供給された局部発振信号とを混合し、変復調回路８０２、８１１からそれぞれ出力されたベースバンド信号を搬送波に重畳させることにより、送信データのアップコンバートを行う。そして、変復調回路８０２、８１１からそれぞれ出力されたベースバンド信号が搬送波に重畳されると、内部無線通信用アンテナ８０６、８０８をそれぞれ介して送出される。そして、内部無線通信用アンテナ８０６、８０８を介して送信データがそれぞれ送信されると、その送信データが内部無線通信用アンテナ８０７、８０５を介してそれぞれ受信される。
【０１１８】
そして、内部無線通信用アンテナ８０７、８０５にて受信された受信信号は、受信部８１０、８０４にそれぞれ送られる。そして、受信部８１０、８０４は、内部無線通信用アンテナ８０７、８０５にてそれぞれ受信された受信信号と、受信周波数シンセサイザ８１５、８１２からそれぞれ供給された局部発振信号とを混合し、各受信信号のダウンコンバートを行う。そして、受信部８１０、８０４から出力された信号は、変復調回路８１１、８０２にそれぞれ送られ、変復調回路８１１、８０２にて復調処理がそれぞれ行われた後、制御部８１８、８０１を介して表示処理や記憶処理などの各種処理を施すことができる。
【０１１９】
ここで、周波数ホッピングパターンメモリ８１６には、ホッピング周波数系列におけるホッピング周波数が互いに重ならないように設定されたホッピングパターンを格納することができる。そして、ホッピング制御装置８１７は、周波数ホッピングパターンメモリ８１６から読み出した特定のホッピングパターンを送信周波数シンセサイザ８１３および受信周波数シンセサイザ８１５に出力するとともに、送信周波数シンセサイザ８１３および受信周波数シンセサイザ８１５に出力されるホッピングパターンと異なるホッピングパターンを送信周波数シンセサイザ８１４および受信周波数シンセサイザ８１２に出力することができる。
【０１２０】
これにより、送信部８０３から送信される送信データと送信部８０９から送信される送信データとが同一帯域で衝突することを回避させることを可能としつつ、周波数ホッピングを行わせるための情報を送信部８０３、８０９および受信部８０４、８１０の双方で共有することが可能となる。このため、受信側でホッピングパターンに正しく同期できないような劣悪な通信環境においても、周波数ホッピング方式による双方向通信を安定して行わせることができる。また、初期同期捕捉を行うための機構が不要となることから、無線受信部の回路構成を簡略化することが可能となるとともに、同期を取る為のプリアンブルをなくすことで伝送効率を上げることができる。
【０１２１】
図１２は、図１１の無線通信端末の変形例を示すブロック図である。
図１２において、ホッピングパターン生成回路９０１およびホッピングパターン遅延部９０２が設けられている。ここで、ホッピングパターン生成回路９０１は、ホッピング周波数が互いに重ならないように配列されたホッピング周波数系列からなるホッピングパターンを生成することができる。また、ホッピングパターン遅延部９０２は、ホッピングパターンに含まれるホッピング周波数の出力を１スロット分だけ遅延させることができる。
【０１２２】
そして、ホッピング制御装置８１７は、ホッピングパターン生成回路９０１にて生成されたホッピングパターンを送信周波数シンセサイザ８１３および受信周波数シンセサイザ８１５に出力するとともに、ホッピングパターン生成回路９０１にて生成されたホッピングパターンをホッピングパターン遅延部９０２を介して送信周波数シンセサイザ８１４および受信周波数シンセサイザ８１２に出力することができる。
【０１２３】
これにより、回路構成の簡易化を図りつつ、同一のホッピング周波数が送信部８０３、８０９に同時に割り当てられることを防止することができる。このため、送信部８０３から送信される送信データと送信部８０９から送信される送信データとが同一帯域で衝突することを回避させることができ、周波数ホッピング方式による双方向通信を安定して行わせることができる。
【０１２４】
図１３は、本発明の第６実施形態に係る無線通信端末の概略構成を示すブロック図である。
図１３において、第１筐体部Ｋ６１には、制御部１００１、周波数ホッピングパターンメモリ１０１２、ホッピング制御装置１０１３、変調回路１００２、周波数シンセサイザ１０１４、混合器１００３、アンプ１００４および内部無線通信用アンテナ１００５が設けられている。
【０１２５】
また、第２筐体部Ｋ６２には、内部無線通信用アンテナ１００６、周波数ホッピングパターンメモリ１０１７、ホッピング制御装置１０１６、バンドパスフィルタ１００７、ローノイズアンプ１００８、周波数シンセサイザ１０１５、混合器１００９、ローパスフィルタ１０１０、復調回路１０１１および制御部１０１８が設けられている。
そして、制御部１００１が、送信データを変調回路１００２に送ると、変調回路１００２は送信データをベースバンド信号に変換し、混合器１００３に出力する。また、制御部１００１は、所定の周波数ホッピングシーケンスを特定する情報をホッピング制御装置１０１３に送る。そして、ホッピング制御装置１０１３は、周波数ホッピングシーケンスを特定する情報を受け取ると、特定のホッピングパターンを選択する。そして、選択したホッピングパターンに含まれるホッピング周波数系列を周波数ホッピングパターンメモリ１０１２から読み出し、そのホッピング周波数系列を周波数指定信号として所定の周期で周波数シンセサイザ１０１４に送出する。
【０１２６】
また、ホッピング制御装置１０１３は、周波数ホッピングシーケンスを特定する情報を制御部１００１から受け取ると、特定のホッピングパターンの選択と初期位相の設定を行うための情報をホッピング制御装置１０１６に有線にて送る。そして、ホッピング制御装置１０１６は、特定のホッピングパターンの選択と初期位相の設定を行うための情報をホッピング制御装置１０１３から受け取ると、そのホッピングパターンに含まれるホッピング周波数系列を周波数ホッピングパターンメモリ１０１７から読み出し、そのホッピング周波数系列を周波数指定信号として所定の周期で周波数シンセサイザ１０１５に送出する。
【０１２７】
そして、周波数シンセサイザ１０１４、１０１５は、周波数指定信号で特定される周波数の局部発振信号をそれぞれ生成し、混合器１００３、１００９にそれぞれ出力する。
そして、混合器１００３は、変調回路１００２から出力されたベースバンド信号と、周波数シンセサイザ１０１４から供給された局部発振信号とを混合し、変調回路１００２から出力されたベースバンド信号を搬送波に重畳させることにより、送信データのアップコンバートを行う。そして、変調回路１００２から出力されたベースバンド信号が搬送波に重畳されると、アンプ１００４にて増幅された後、内部無線通信用アンテナ１００５を介して送出される。そして、内部無線通信用アンテナ１００５を介して送信データが送信されると、その送信データが内部無線通信用アンテナ１００６を介して受信される。
【０１２８】
そして、内部無線通信用アンテナ１００６を介して受信された受信信号は、バンドパスフィルタ１００７にて不要な周波数成分が減衰された後、ローノイズアンプ１００８にて増幅される。そして、ローノイズアンプ１００８にて増幅された受信信号は、混合器１００９に送られる。そして、混合器１００９は、ローノイズアンプ１００８から送られた受信信号と、周波数シンセサイザ１０１５から供給された局部発振信号とを混合し、受信信号のダウンコンバートを行う。
【０１２９】
そして、混合器１００９から出力された信号は、ローパスフィルタ１０１０にて不要な高周波成分が減衰された後、復調回路１０１１に送られる。そして、復調回路１０１１にて復調処理が行われた後、制御部１０１８を介して表示処理や記憶処理などの各種処理を施すことができる。
これにより、送信側および受信側のホッピング制御を個別に行わせることが可能となるとともに、ホッピングパターンの選択と初期位相の設定を通信開始時に行うことで、送信側および受信側の周波数ホッピングシーケンスを一致させることができる。このため、ホッピング制御装置１０１３、１０１６間での有線での情報のやり取りをホッピングタイミングごとに行うことなく、送信側および受信側の双方で周波数ホッピングを安定して行わせることが可能となり、高速ホッピングに対応しつつ、周波数ホッピング方式による無線通信の品質の劣化を抑制することが可能となる。
【０１３０】
また、初期同期捕捉を行うための機構が不要となることから、無線受信部の回路構成を簡略化することが可能となるとともに、同期を取る為のプリアンブルをなくすことで伝送効率を上げることができる。特に、高速ホッピング方式を用いた場合においても、相関を取る時間が不要となるとともに、複数の相関をとるための回路が不要となることから、受信機の回路構成の簡略化を図ることが可能となるとともに、伝送効率を劣化させることなく、マルチパスフェ−ジングなどの周波数選択性フェ−ジングに対して良好な特性を得ることができる。
【０１３１】
なお、上述した実施形態では、単方向通信を例にとって説明したが、双方向通信に適用するようにしてもよい。
図１４は、本発明の第７実施形態に係る無線通信端末の概略構成を示すブロック図である。
図１４において、第１筐体部Ｋ７１には、制御部１１０１、ホッピング制御装置１１１４、変調回路１１０２、周波数シンセサイザ１１１２、混合器１１０３、アンプ１１０４および内部無線通信用アンテナ１１０５が設けられている。
【０１３２】
また、第２筐体部Ｋ７２には、内部無線通信用アンテナ１１０６、ホッピング制御装置１１１５、バンドパスフィルタ１１０７、ローノイズアンプ１１０８、周波数シンセサイザ１１１３、混合器１１０９、ローパスフィルタ１１１０、復調回路１１１１および制御部１１１６が設けられている。ここで、ホッピング制御装置１１１４、１１１５は、互いに共通なホッピング周波数系列を持つホッピングパターンを生成することができる。
【０１３３】
そして、制御部１１０１が、送信データを変調回路１１０２に送ると、変調回路１１０２は送信データをベースバンド信号に変換し、混合器１１０３に出力する。また、制御部１１０１は、周波数ホッピングの初期位相を決定するリセット信号をホッピング制御装置１１１４に送る。そして、ホッピング制御装置１１１４は、リセット信号を受け取ると、特定のホッピングパターンを生成し、そのホッピングパターンに含まれるホッピング周波数系列を周波数指定信号として所定の周期で周波数シンセサイザ１１１２に送出する。
【０１３４】
また、ホッピング制御装置１１１４は、周波数ホッピングの初期位相を決定するリセット信号を制御部１１０１から受け取ると、その信号をホッピング制御装置１１１５に有線にて送る。そして、ホッピング制御装置１１１５は、ホッピング制御装置１１１４からリセット信号を受け取ると、ホッピング制御装置１１１４にて生成されるホッピングパターンと同一のホッピングパターンを生成しながら、そのホッピングパターンに含まれるホッピング周波数系列を周波数指定信号として所定の周期で周波数シンセサイザ１１１３に送出する。
【０１３５】
そして、周波数シンセサイザ１１１２、１１１３は、周波数指定信号で特定される周波数の局部発振信号をそれぞれ生成し、混合器１１０３、１１０９にそれぞれ出力する。
そして、混合器１１０３は、変調回路１１０２から出力されたベースバンド信号と、周波数シンセサイザ１１１２から供給された局部発振信号とを混合し、変調回路１１０２から出力されたベースバンド信号を搬送波に重畳させることにより、送信データのアップコンバートを行う。そして、変調回路１１０２から出力されたベースバンド信号が搬送波に重畳されると、アンプ１１０４にて増幅された後、内部無線通信用アンテナ１１０５を介して送出される。そして、内部無線通信用アンテナ１１０５を介して送信データが送信されると、その送信データが内部無線通信用アンテナ１１０６を介して受信される。
【０１３６】
そして、内部無線通信用アンテナ１１０６を介して受信された受信信号は、バンドパスフィルタ１１０７にて不要な周波数成分が減衰された後、ローノイズアンプ１１０８にて増幅される。そして、ローノイズアンプ１１０８にて増幅された受信信号は、混合器１１０９に送られる。そして、混合器１１０９は、ローノイズアンプ１１０８から送られた受信信号と、周波数シンセサイザ１１１３から供給された局部発振信号とを混合し、受信信号のダウンコンバートを行う。
【０１３７】
そして、混合器１１０９から出力された信号は、ローパスフィルタ１１１０にて不要な高周波成分が減衰された後、復調回路１１１１に送られる。そして、復調回路１１１１にて復調処理が行われた後、制御部１１１６を介して表示処理や記憶処理などの各種処理を施すことができる。
これにより、送信側および受信側のホッピング制御を個別に行わせることが可能となるとともに、通信開始時にリセット信号を有線にて送出することで、送信側および受信側の周波数ホッピングシーケンスの位相を一致させることができる。このため、ホッピング制御装置１１１４、１１１５間での有線での情報のやり取りをホッピングタイミングごとに行うことなく、送信側および受信側の双方で周波数ホッピングを安定して行わせることが可能となり、高速ホッピングに対応しつつ、周波数ホッピング方式による無線通信の品質の劣化を抑制することが可能となる。
【０１３８】
また、初期同期捕捉を行うための機構が不要となることから、無線受信部の回路構成を簡略化することが可能となるとともに、同期を取る為のプリアンブルをなくすことで伝送効率を上げることができる。特に、高速ホッピング方式を用いた場合においても、相関を取る時間が不要となるとともに、複数の相関をとるための回路が不要となることから、受信機の回路構成の簡略化を図ることが可能となるとともに、伝送効率を劣化させることなく、マルチパスフェ−ジングなどの周波数選択性フェ−ジングに対して良好な特性を得ることができる。
【０１３９】
図１５は、本発明の第８実施形態に係る無線通信端末の概略構成を示すブロック図である。
図１５において、第１筐体部Ｋ１１１には、第１筐体部Ｋ１１１と第２筐体部Ｋ１１２との間の通信処理全体を制御する制御部１２０１、周波数ホッピングパターンを記憶する周波数ホッピングパターンメモリ１２１２、制御部１２０１からの制御に従って周波数をホッピングさせながら局部発振信号をＰＬＬ（Ｐｈａｓｅ  Ｌｏｃｋｅｄ  Ｌｏｏｐ）回路１２１４、１２１５に有線にて送出する局部発振器１２１３、送信データをベースバンド信号に変換する変調回路１２０２、局部発振器１２１３から有線にて送られた局部発振信号を逓倍することにより、キャリア信号を生成するＰＬＬ回路１２１４、変調回路１２０２から出力されたベースバンド信号にＰＬＬ回路１２１４から出力されたキャリア信号を混合する混合器１２０３、混合器１２０３から出力された信号を増幅するアンプ１２０４および内部無線通信用電波の送信を第１筐体部Ｋ１１１側で行う内部無線通信用アンテナ１２０５が設けられている。
【０１４０】
また、第２筐体部Ｋ１１２には、内部無線通信用電波の受信を第２筐体部Ｋ１１２側で行う内部無線通信用アンテナ１２０６、内部無線通信用アンテナ１２０６にて受信された受信信号に含まれる不要な周波数成分を減衰させるバンドパスフィルタ１２０７、バンドパスフィルタ１２０７から出力された受信信号を増幅するローノイズアンプ１２０８、局部発振器１２１３から有線にて送られた局部発振信号を逓倍することにより、検波信号を生成するＰＬＬ回路１２１５、ローノイズアンプ１２０８から出力された受信信号にＰＬＬ回路１２１５から出力された検波信号を混合する混合器１２０９、混合器１２０９からの出力信号に含まれる不要な高周波成分を減衰させるローパスフィルタ１２１０、ローパスフィルタ１２１０から出力された受信信号の復調処理を行う復調回路１２１１および復調回路１２１１から出力された信号の処理を行う制御部１２１６が設けられている。なお、周波数ホッピングパターンとしては、図５と同様の構成を用いることができる。
【０１４１】
そして、制御部１２０１が、送信データを変調回路１２０２に送ると、変調回路１２０２は送信データをベースバンド信号に変換し、混合器１２０３に出力する。また、制御部１２０１は、図５のホッピングパターンＰ１〜ＰＮの中から１つのホッピングパターンを選択し、選択したホッピングパターンに含まれるホッピング周波数系列を周波数ホッピングパターンメモリ１２１２から読み出し、そのホッピング周波数系列を周波数指定信号として所定の周期で局部発振器１２１３に送出する。そして、局部発振器１２１３は、周波数指定信号で特定される周波数の局部発振信号を生成し、ＰＬＬ回路１２１４、１２１５に有線にて送出する。そして、ＰＬＬ回路１２１４、１２１５は、局部発振器１２１３から局部発振信号をそれぞれ受け取ると、局部発振信号をそれぞれ逓倍し、混合器１２０３、１２０９にそれぞれ出力する。
【０１４２】
そして、混合器１２０３は、変調回路１２０２から出力されたベースバンド信号と、ＰＬＬ回路１２１４から供給された信号とを混合し、変調回路１２０２から出力されたベースバンド信号を搬送波に重畳させることにより、送信データのアップコンバートを行う。そして、変調回路１２０２から出力されたベースバンド信号が搬送波に重畳されると、アンプ１２０４にて増幅された後、内部無線通信用アンテナ１２０５を介して送出される。そして、内部無線通信用アンテナ１２０５を介して送信データが送信されると、その送信データが内部無線通信用アンテナ１２０６を介して受信される。
【０１４３】
そして、内部無線通信用アンテナ１２０６を介して受信された受信信号は、バンドパスフィルタ１２０７にて不要な周波数成分が減衰された後、ローノイズアンプ１２０８にて増幅される。そして、ローノイズアンプ１２０８にて増幅された受信信号は、混合器１２０９に送られる。そして、混合器１２０９は、ローノイズアンプ１２０８から送られた受信信号と、ＰＬＬ回路１２１５から供給された信号とを混合し、受信信号のダウンコンバートを行う。
【０１４４】
そして、混合器１２０９から出力された信号は、ローパスフィルタ１２１０にて不要な高周波成分が減衰された後、復調回路１２１１に送られる。そして、復調回路１２１１にて復調処理が行われた後、制御部１２１６を介して表示処理や記憶処理などの各種処理を施すことができる。
ここで、ホッピングにより周波数が変化する局部発振信号をＰＬＬ回路１２１４、１２１５に有線にて送出することにより、同一の局部発振器１２１３にて生成された局部発振信号を第１筐体部Ｋ１１１と第２筐体部Ｋ１１２との双方で共有することが可能となる。このため、第１筐体部Ｋ１１１と第２筐体部Ｋ１１２との間で完全に同期した局部発振信号を用いることが可能となり、局部発振器１２１３の出力に周波数誤差がある場合においても、良好な受信性能を得ることができる。また、周波数ホッピングを行わせるための情報を無線で送る必要がなくなり、受信側でホッピングパターンに正しく同期できないような劣悪な通信環境においても、送信側および受信側の双方で周波数ホッピングを安定して行わせることが可能となる。
【０１４５】
また、受信信号からホッピングパターンを受信側で推定する必要がなくなることから、初期同期捕捉を行う必要がなくなり、受信回路の構成を簡略化することができる。さらに、同期時間はＰＬＬ回路１２１４、１２１５のセントリングタイムだけでよく、同期を取るためだけに必要となるプリアンブル信号の出力が不要となることから、通信スループットを向上させることができる。
【０１４６】
なお、上述した実施形態では、周波数ホッピングパターンメモリ１２１２および局部発振器１２１３を第１筐体部Ｋ１１１に設ける方法について説明したが、周波数ホッピングパターンメモリ１２１２および局部発振器１２１３を第２筐体部Ｋ１１２に設けるようにしてもよい。また、制御部１２０１がホッピングパターンＰ１〜ＰＮを取得できるようにするため、周波数ホッピングパターンメモリ１２１２を設ける方法について説明したが、特定のホッピングパターンを生成するホッピングパターン生成回路を設けるようにしてもよい。また、局部発振器１２１３は一定の周期で周波数ホッピングを行わせる方法について説明したが、周波数ホッピングをランダムに行わせるようにしてもよい。
【０１４７】
図１６は、本発明の第９実施形態に係る無線通信端末の概略構成を示すブロック図である。
図１６において、第１筐体部Ｋ１２１には、第１筐体部Ｋ１２１と第２筐体部Ｋ１２２との間の通信処理全体を制御する制御部１３０１、周波数ホッピングパターンを記憶する周波数ホッピングパターンメモリ１３１６、制御部１３０１からの制御に従って周波数をホッピングさせながら局部発振信号をＰＬＬ回路１３１４、１３１５に有線にて送出する局部発振器１３１７、送信データをベースバンド信号に変換したり、受信信号の復調処理を行ったりする変復調回路１３０２、局部発振器１３１７から有線にて送られた局部発振信号を逓倍することにより、キャリア信号を生成するＰＬＬ回路１３１４、内部無線通信用アンテナ１３０６を介して行われる無線送信の制御を司る送信部１３０３、内部無線通信用アンテナ１３０６を介して行われる無線受信の制御を司る受信部１３０４、内部無線通信用電波の送受信を第１筐体部Ｋ１２１側で行う内部無線通信用アンテナ１３０６、内部無線通信用アンテナ１３０６への切り替えを送信部１３０３と受信部１３０４との間で行うスイッチ１３０５およびＰＬＬ回路１３１４への切り替えを送信部１３０３と受信部１３０４との間で行うスイッチ１３１２が設けられている。
【０１４８】
また、第２筐体部Ｋ１２２には、内部無線通信用電波の送受信を第２筐体部Ｋ１２２側で行う内部無線通信用アンテナ１３０７、局部発振器１３１７から有線にて送られた局部発振信号を逓倍することにより、検波信号を生成するＰＬＬ回路１３１５、内部無線通信用アンテナ１３０７を介して行われる無線送信の制御を司る送信部１３０９、内部無線通信用アンテナ１３０７を介して行われる無線受信の制御を司る受信部１３１０、内部無線通信用アンテナ１３０７への切り替えを送信部１３０９と受信部１３１０との間で行うスイッチ１３０８およびＰＬＬ回路１３１５への切り替えを送信部１３０９と受信部１３１０との間で行うスイッチ１３１３、送信データをベースバンド信号に変換したり、受信信号の復調処理を行ったりする変復調回路１３１１および変復調回路１３１１から出力された信号の処理を行う制御部１３１８が設けられている。
【０１４９】
そして、第１筐体部Ｋ１２１から第２筐体部Ｋ１２２へのデータ伝送を行う場合、スイッチ１３０５、１３１２を送信部１３０３側に切り替えるとともに、スイッチ１３０８、１３１３を受信部１３１０側に切り替える。そして、制御部１３０１から出力された送信データは変復調回路１３０２にてベースバンド信号に変換され、送信部１３０３に送られる。
【０１５０】
また、制御部１３０１は、ホッピングパターンに含まれるホッピング周波数系列を周波数ホッピングパターンメモリ１３１６から読み出し、そのホッピング周波数系列を周波数指定信号として所定の周期で局部発振器１３１７に送出する。そして、局部発振器１３１７は、周波数指定信号で特定される周波数の局部発振信号を生成し、ＰＬＬ回路１３１４、１３１５に有線にて送出する。そして、ＰＬＬ回路１３１４、１３１５は、局部発振器１３１７から局部発振信号をそれぞれ受け取ると、局部発振信号をそれぞれ逓倍し、スイッチ１３１２、１３１３をそれぞれ介して送信部１３０３および受信部１３１０にそれぞれ出力する。
【０１５１】
そして、送信部１３０３は、変復調回路１３０２から出力されたベースバンド信号と、ＰＬＬ回路１３１４から供給されたキャリア信号とを混合し、変復調回路１３０２から出力されたベースバンド信号を搬送波に重畳させることにより、送信データのアップコンバートを行う。そして、変復調回路１３０２から出力されたベースバンド信号が搬送波に重畳されると、スイッチ１３０５を介して内部無線通信用アンテナ１３０６に送り、内部無線通信用アンテナ１３０６を介して送出させる。そして、内部無線通信用アンテナ１３０６を介して送信データが送信されると、その送信データが内部無線通信用アンテナ１３０７を介して受信される。
【０１５２】
そして、内部無線通信用アンテナ１３０７にて受信された受信信号は、スイッチ１３０８を介して受信部１３１０に送られる。そして、受信部１３１０は、内部無線通信用アンテナ１３０７にて受信された受信信号と、ＰＬＬ回路１３１５から供給された検波信号とを混合し、受信信号のダウンコンバートを行う。そして、受信部１３１０から出力された信号は、変復調回路１３１１に送られ、変復調回路１３１１にて復調処理が行われた後、制御部１３１８を介して表示処理や記憶処理などの各種処理を施すことができる。
【０１５３】
一方、第２筐体部Ｋ１２２から第１筐体部Ｋ１２１へのデータ伝送を行う場合、スイッチ１３０５、１３１２を受信部１３０４側に切り替えるとともに、スイッチ１３０８、１３１３を送信部１３０９側に切り替える。そして、制御部１３１８から出力された送信データは変復調回路１３１１にてベースバンド信号に変換され、送信部１３０９に送られる。
【０１５４】
また、制御部１３０１は、ホッピングパターンに含まれるホッピング周波数系列を周波数ホッピングパターンメモリ１３１６から読み出し、そのホッピング周波数系列を周波数指定信号として所定の周期で局部発振器１３１７に送出する。そして、局部発振器１３１７は、周波数指定信号で特定される周波数の局部発振信号を生成し、ＰＬＬ回路１３１４、１３１５に有線にて送出する。そして、ＰＬＬ回路１３１４、１３１５は、局部発振器１３１７から局部発振信号をそれぞれ受け取ると、局部発振信号をそれぞれ逓倍し、スイッチ１３１２、１３１３をそれぞれ介して送信部１３０９および受信部１３０４にそれぞれ出力する。
【０１５５】
そして、送信部１３０９は、変復調回路１３１１から出力されたベースバンド信号と、ＰＬＬ回路１３１５から供給されたキャリア信号とを混合し、変復調回路１３１１から出力されたベースバンド信号を搬送波に重畳させることにより、送信データのアップコンバートを行う。そして、変復調回路１３１１から出力されたベースバンド信号が搬送波に重畳されると、スイッチ１３０８を介して内部無線通信用アンテナ１３０７に送り、内部無線通信用アンテナ１３０７を介して送出させる。そして、内部無線通信用アンテナ１３０７を介して送信データが送信されると、その送信データが内部無線通信用アンテナ１３０６を介して受信される。
【０１５６】
そして、内部無線通信用アンテナ１３０６にて受信された受信信号は、スイッチ１３０５を介して受信部１３０４に送られる。そして、受信部１３０４は、内部無線通信用アンテナ１３０６にて受信された受信信号と、ＰＬＬ回路１３１４から供給された検波信号とを混合し、受信信号のダウンコンバートを行う。そして、受信部１３０４から出力された信号は、変復調回路１３０２に送られ、変復調回路１３０２にて復調処理が行われた後、制御部１３０１を介して表示処理や記憶処理などの各種処理を施すことができる。
【０１５７】
これにより、送信部１３０３、１３０９を第１筐体部Ｋ１２１および第２筐体部Ｋ１２２にそれぞれ設けるとともに、受信部１３０４、１３１０を第１筐体部Ｋ１２１および第２筐体部Ｋ１２２にそれぞれ設けた場合においても、ＰＬＬ回路１３１４、１３１５で局部発振器１３１７を共有することが可能となる。このため、受信側でホッピングパターンに正しく同期できないような劣悪な通信環境においても、第１筐体部Ｋ１２１と第２筐体部Ｋ１２２との間で双方向通信を行うことを可能としつつ、送信側および受信側の双方で周波数ホッピングを安定して行わせることが可能となる。
【０１５８】
図１７は、本発明の第１０実施形態に係る無線通信端末の概略構成を示すブロック図である。
図１７において、第１筐体部Ｋ１３１には、制御部１４０１、変復調回路１４０２、局部発振器１４２０、ＰＬＬ回路１４１５、送信部１４０３、受信部１４０４、内部無線通信用アンテナ１４０６、スイッチ１４０５、１４１２、受信部１４０４にて受信された受信信号の誤り率を検出する誤り率検出回路１４１４およびホッピングパターン制御部１４２１が設けられている。ここで、ホッピングパターン制御部１４２１には、誤り率検出回路４１４にて検出された誤り率に基づいてホッピングパターンを更新する周波数ホッピングパターン更新装置１４１８および周波数ホッピングパターンメモリ１４１９が設けられている。
【０１５９】
また、第２筐体部Ｋ１３２には、内部無線通信用アンテナ１４０７、ＰＬＬ回路１４１６、送信部１４０９、受信部１４１０、スイッチ１４０８、１４１３、受信部１４１０にて受信された受信信号の誤り率を検出する誤り率検出回路１４１７、変復調回路１４１１および制御部１４２２が設けられている。ここで、局部発振器１４２０は、ＰＬＬ回路１４１５、１４１６の双方と有線にて接続されている。
【０１６０】
そして、第１筐体部Ｋ１３１から第２筐体部Ｋ１３２へのデータ伝送を行う場合、スイッチ１４０５、１４１２を送信部１４０３側に切り替えるとともに、スイッチ１４０８、１４１３を受信部１４１０側に切り替える。そして、制御部１４０１から出力された送信データは変復調回路１４０２にてベースバンド信号に変換され、送信部１４０３に送られる。
【０１６１】
また、制御部１４０１は、ホッピングパターンに含まれるホッピング周波数系列を周波数ホッピングパターンメモリ１４１９から読み出し、そのホッピング周波数系列を周波数指定信号として所定の周期で局部発振器１４２０に送出する。そして、局部発振器１４２０は、周波数指定信号で特定される周波数の局部発振信号を生成し、ＰＬＬ回路１４１５、１４１６に有線にて送出する。そして、ＰＬＬ回路１４１５、１４１６は、局部発振器１４２０から局部発振信号をそれぞれ受け取ると、局部発振信号をそれぞれ逓倍し、スイッチ１４１２、１４１３をそれぞれ介して送信部１４０３および受信部１４１０にそれぞれ出力する。
【０１６２】
そして、送信部１４０３は、変復調回路１４０２から出力されたベースバンド信号と、ＰＬＬ回路１４１５から供給されたキャリア信号とを混合し、変復調回路１４０２から出力されたベースバンド信号を搬送波に重畳させることにより、送信データのアップコンバートを行う。そして、変復調回路１４０２から出力されたベースバンド信号が搬送波に重畳されると、スイッチ１４０５を介して内部無線通信用アンテナ１４０６に送り、内部無線通信用アンテナ１４０６を介して送出させる。そして、内部無線通信用アンテナ１４０６を介して送信データが送信されると、その送信データが内部無線通信用アンテナ１４０７を介して受信される。
【０１６３】
そして、内部無線通信用アンテナ１４０７にて受信された受信信号は、スイッチ１４０８を介して受信部１４１０に送られる。そして、受信部１４１０は、内部無線通信用アンテナ１４０７にて受信された受信信号と、ＰＬＬ回路１４１６から供給された検波信号とを混合し、受信信号のダウンコンバートを行う。そして、受信部１４１０から出力された信号は、変復調回路１４１１に送られ、変復調回路１４１１にて復調処理が行われた後、制御部１４２２を介して表示処理や記憶処理などの各種処理を施すことができる。
【０１６４】
また、誤り率検出回路１４１７は、変復調回路１４１１にて復調処理が行われた信号に基づいて受信信号の誤り率を検出し、検出された誤り率を周波数ホッピングパターン更新装置１４１８に出力する。なお、誤り率としては、例えば、ＢＥＲまたはＰＥＲを用いることができる。また、誤り率の代わりに、ＲＳＳＩなどの電波の受信品質を用いるようにしてもよい。
【０１６５】
そして、周波数ホッピングパターン更新装置１４１８は、誤り率検出回路１４１７から誤り率を受け取ると、その誤り率に基づいて、周波数ホッピングパターンメモリ１４１９に記憶されているホッピングパターンを更新する。例えば、周波数ホッピングパターン更新装置１４１８は、受信信号の誤り率が所定値以上の場合には、現在の通信に使われているホッピング周波数にフラグを立て、そのフラグを周波数ホッピングパターンメモリ１４１９に記憶することができる。そして、制御部４０１は、周波数ホッピングパターンメモリ１４１９に記憶されているホッピングパターンからホッピング周波数を読み出す場合、そのホッピング周波数にフラグが立っているかどうかを判断する。そして、フラグが立っているホッピング周波数を飛ばしながら、ホッピングパターンのホッピング周波数系列を周波数指定信号として局部発振器１４２０に送出することができる。
【０１６６】
一方、第２筐体部Ｋ１３２から第１筐体部Ｋ１３１へのデータ伝送を行う場合、スイッチ１４０５、１４１２を受信部１４０４側に切り替えるとともに、スイッチ１４０８、１４１３を送信部１４０９側に切り替える。そして、制御部１４２２から出力された送信データは変復調回路１４１１にてベースバンド信号に変換され、送信部１４０９に送られる。
【０１６７】
また、制御部１４０１は、ホッピングパターンに含まれるホッピング周波数系列を周波数ホッピングパターンメモリ１４１９から読み出し、そのホッピング周波数系列を周波数指定信号として所定の周期で局部発振器１４２０に送出する。そして、局部発振器１４２０は、周波数指定信号で特定される周波数の局部発振信号を生成し、ＰＬＬ回路１４１５、１４１６に有線にて送出する。そして、ＰＬＬ回路１４１５、１４１６は、局部発振器１４２０から局部発振信号をそれぞれ受け取ると、局部発振信号をそれぞれ逓倍し、スイッチ１４１２、１４１３をそれぞれ介して送信部１４０９および受信部１４０４にそれぞれ出力する。
【０１６８】
そして、送信部１４０９は、変復調回路１４１１から出力されたベースバンド信号と、ＰＬＬ回路１４１６から供給された局部発振信号とを混合し、変復調回路１４１１から出力されたベースバンド信号を搬送波に重畳させることにより、送信データのアップコンバートを行う。そして、変復調回路１４１１から出力されたベースバンド信号が搬送波に重畳されると、スイッチ１４０８を介して内部無線通信用アンテナ１４０７に送り、内部無線通信用アンテナ１４０７を介して送出させる。そして、内部無線通信用アンテナ１４０７を介して送信データが送信されると、その送信データが内部無線通信用アンテナ１４０６を介して受信される。
【０１６９】
そして、内部無線通信用アンテナ１４０６にて受信された受信信号は、スイッチ１４０５を介して受信部１４０４に送られる。そして、受信部１４０４は、内部無線通信用アンテナ１４０６にて受信された受信信号と、ＰＬＬ回路１４１５から供給された局部発振信号とを混合し、受信信号のダウンコンバートを行う。そして、受信部１４０４から出力された信号は、変復調回路１４０２に送られ、変復調回路１４０２にて復調処理が行われた後、制御部１４０１を介して表示処理や記憶処理などの各種処理を施すことができる。
【０１７０】
また、誤り率検出回路１４１４は、変復調回路１４０２にて復調処理が行われた信号に基づいて受信信号の誤り率を検出し、検出された誤り率を周波数ホッピングパターン更新装置１４１８に出力する。そして、周波数ホッピングパターン更新装置１４１８は、誤り率検出回路１４１４から誤り率を受け取ると、その誤り率に基づいて、周波数ホッピングパターンメモリ１４１９に記憶されているホッピングパターンを更新する。そして、制御部１４０１は、更新されたホッピングパターンを周波数ホッピングパターンメモリ１４１９から読み出し、そのホッピングパターンのホッピング周波数系列を周波数指定信号として局部発振器１４２０に有線にて送出する。
【０１７１】
これにより、ホッピングにて周波数が変化する局部発振信号を送信側および受信側の双方で共有しながら、現在の通信環境に応じて、ホッピング周波数を適応的に変化させることが可能となる。このため、通信状況が悪い周波数を避けながら、送信側および受信側の双方で周波数ホッピングを安定して行わせることが可能となり、受信側でホッピングパターンに正しく同期できないような劣悪な通信環境においても、周波数ホッピング方式による無線通信の品質の劣化を抑制することが可能となるとともに、通信スループットを向上させることができる。
【０１７２】
なお、上述した実施形態では、誤り率検出回路１４１４、１４１７を第１筐体部Ｋ１３１および第２筐体部Ｋ１３２にそれぞれ設ける方法について説明したが、第１筐体部Ｋ１３１側にのみ誤り率検出回路１４１４を設けるようにしてもよい。また、図１７の実施形態では、双方向通信を例にとって説明したが、単方向通信に適用するようにしてもよい。また、過去の通信に使用されたホッピング周波数とＢＥＲなどの情報のログを記憶し、ＢＥＲが良いホッピング周波数を優先して使用するようにしてもよい。また、ＢＥＲが良い方のホッピング周波数から順に一定数の使用可能なホッピング周波数を確保するようにしてもよい。
【０１７３】
図１８は、図１７のホッピングパターン制御部１４２１のその他の構成例を示すブロック図である。
図１８において、ホッピングパターン制御部１４２２には、ホッピングパターン生成回路１５０１および周波数ホッピングパターン決定回路１５０２が設けられている。そして、図１７のホッピングパターン制御部１４２１を図１８のホッピングパターン制御部１４２２に置き換えるようにしてもよい。
【０１７４】
ここで、ホッピングパターン生成回路１５０１は特定のホッピングパターンを生成し、生成したホッピングパターンを周波数ホッピングパターン決定回路１５０２に出力する。そして、周波数ホッピングパターン決定回路１５０２は、誤り率検出回路１４１４、１４１７にて検出された誤り率に基づいて、ホッピングパターン生成回路１５０１にて生成されたホッピングパターンのホッピング周波数を使用するかどうかを決定することができる。
【０１７５】
なお、上述した実施形態では、１つの周波数に留まる時間（スロット長）は、予め決めておくことができ、この区間は同じ周波数で通信を行うことができる。例えば、Ｂｌｕｅｔｏｏｔｈでは、１スロットは６２５ｕｓと決められており、ＴＤＤによりマスタとスレーブとが決まったスロットで通信を行う。
図１９は、本発明の第１１実施形態に係る無線通信端末の概略構成を示すブロック図である。
【０１７６】
図１９において、第１筐体部Ｋ１４１には、制御部１６０１、周波数ホッピングパターンメモリ１６１６、変復調回路１６０２、局部発振器１６１７、ＰＬＬ回路１６１４、送信部１６０３、受信部１６０４、内部無線通信用アンテナ１６０６およびスイッチ１６０５、１６１２が設けられている。また、第２筐体部Ｋ１４２には、内部無線通信用アンテナ１６０７、ＰＬＬ回路１６１５、送信部１６０９、受信部１６１０、スイッチ１６０８、１６１３、変復調回路１６１１および制御部１６１８が設けられている。ここで、局部発振器１６１７は、ＰＬＬ回路１６１４、１６１５の双方と有線にて接続されている。
【０１７７】
そして、第１筐体部Ｋ１４１から第２筐体部Ｋ１４２へのデータ伝送を行う場合、スイッチ１６０５、１６１２を送信部１６０３側に切り替えるとともに、スイッチ１６０８、１６１３を受信部１６１０側に切り替える。
そして、制御部１６０１は、今回送信される送信データのデータ量に基づいてスロット長を設定し、そのスロット長に対応したホッピングタイミングを設定する。そして、制御部１６０１は、ホッピングパターンに含まれるホッピング周波数系列を周波数ホッピングパターンメモリ１６１６から読み出し、そのホッピング周波数系列を周波数指定信号として局部発振器１６１７に送出する。そして、局部発振器１６１７は、周波数指定信号で特定される周波数の局部発振信号を生成し、ＰＬＬ回路１６１４、１６１５に有線にて送出する。そして、ＰＬＬ回路１６１４、１６１５は、局部発振器１６１７から局部発振信号をそれぞれ受け取ると、局部発振信号をそれぞれ逓倍し、スイッチ１６１２、１６１３をそれぞれ介して送信部１６０３および受信部１６１０にそれぞれ出力する。
【０１７８】
そして、ＰＬＬ回路１６１４、１６１５は、キャリア信号の周波数が特定の周波数にロックしたかどうかをそれぞれ検出し、キャリア信号の周波数がロックすると、ロック検出信号を制御部１６０１にそれぞれ送る。そして、制御部１６０１は、ＰＬＬ回路１６１４、１６１５からロック検出信号を受け取ると、送信データを変復調回路１６０２に送る。そして、変復調回路１６０２は送信データをベースバンド信号に変換し、送信部１６０３に送る。
【０１７９】
そして、送信部１６０３は、変復調回路１６０２から出力されたベースバンド信号と、ＰＬＬ回路１６１４から供給されたキャリア信号とを混合し、変復調回路１６０２から出力されたベースバンド信号を搬送波に重畳させることにより、送信データのアップコンバートを行う。そして、変復調回路１６０２から出力されたベースバンド信号が搬送波に重畳されると、スイッチ１６０５を介して内部無線通信用アンテナ１６０６に送り、内部無線通信用アンテナ１６０６を介して送出させる。そして、内部無線通信用アンテナ１６０６を介して送信データが送信されると、その送信データが内部無線通信用アンテナ１６０７を介して受信される。
【０１８０】
そして、内部無線通信用アンテナ１６０７にて受信された受信信号は、スイッチ１６０８を介して受信部１６１０に送られる。そして、受信部１６１０は、内部無線通信用アンテナ１６０７にて受信された受信信号と、ＰＬＬ回路１６１５から供給された検波信号とを混合し、受信信号のダウンコンバートを行う。そして、受信部１６１０から出力された信号は、変復調回路１６１１に送られ、変復調回路１６１１にて復調処理が行われた後、制御部１６１８を介して表示処理や記憶処理などの各種処理を施すことができる。
【０１８１】
これにより、ホッピングにて周波数が変化する局部発振信号を送信側および受信側の双方で共有しながら、スロット長を変化させることが可能となる。このため、送信側および受信側の双方で周波数ホッピングを安定して行わせることを可能としつつ、データ通信を効率よく行わせることが可能となり、受信側でホッピングパターンに正しく同期できないような劣悪な通信環境においても、周波数ホッピング方式による無線通信の品質の劣化を抑制することが可能となるとともに、通信スループットを向上させることができる。
【０１８２】
また、データ通信の負荷状況によりスロット長を可変できるため、データ量が多い時はスロット長を長くするとともに、データ量が少ない時はスロット長を短くすることができる。このため、データ量が少ない時にダミーデータを入れて送る必要がなくなり、無駄な電力消費を防ぐことが可能となる。
一方、第２筐体部Ｋ１４２から第１筐体部Ｋ１４１へのデータ伝送を行う場合、スイッチ１６０５、１６１２を受信部１６０４側に切り替えるとともに、スイッチ１６０８、１６１３を送信部１６０９側に切り替える。そして、制御部１６１８から出力された送信データは変復調回路１６１１にてベースバンド信号に変換され、送信部１６０９に送られる。
【０１８３】
また、制御部１６０１は、ホッピングパターンに含まれるホッピング周波数系列を周波数ホッピングパターンメモリ１６１６から読み出し、そのホッピング周波数系列を周波数指定信号として所定の周期で局部発振器１６１７に送出する。そして、局部発振器１６１７は、周波数指定信号で特定される周波数の局部発振信号を生成し、ＰＬＬ回路１６１４、１６１５に有線にて送出する。そして、ＰＬＬ回路１６１４、１６１５は、局部発振器１６１７から局部発振信号をそれぞれ受け取ると、局部発振信号をそれぞれ逓倍し、スイッチ１６１２、１６１３をそれぞれ介して送信部１６０９および受信部１６０４にそれぞれ出力する。
【０１８４】
そして、送信部１６０９は、変復調回路１６１１から出力されたベースバンド信号と、ＰＬＬ回路１６１５から供給されたキャリア信号とを混合し、変復調回路１６１１から出力されたベースバンド信号を搬送波に重畳させることにより、送信データのアップコンバートを行う。そして、変復調回路１６１１から出力されたベースバンド信号が搬送波に重畳されると、スイッチ１６０８を介して内部無線通信用アンテナ１６０７に送り、内部無線通信用アンテナ１６０７を介して送出させる。そして、内部無線通信用アンテナ１６０７を介して送信データが送信されると、その送信データが内部無線通信用アンテナ１６０６を介して受信される。
【０１８５】
そして、内部無線通信用アンテナ１６０６にて受信された受信信号は、スイッチ１６０５を介して受信部１６０４に送られる。そして、受信部１６０４は、内部無線通信用アンテナ１６０６にて受信された受信信号と、ＰＬＬ回路１６１４から供給された検波信号とを混合し、受信信号のダウンコンバートを行う。そして、受信部１６０４から出力された信号は、変復調回路１６０２に送られ、変復調回路１６０２にて復調処理が行われた後、制御部１６０１を介して表示処理や記憶処理などの各種処理を施すことができる。
【０１８６】
なお、上述した実施形態では、ＰＬＬ回路１６１４、１６１５から出力されたロック検出信号を制御部１６０１側にのみ送る方法について説明したが、ＰＬＬ回路１６１４、１６１５から出力されたロック検出信号を制御部１６１８にも送り、第２筐体部Ｋ１４２から第１筐体部Ｋ１４１へのデータ伝送を行う場合においても、スロット長を変えられるようにしてもよい。
【０１８７】
また、上述した実施形態では、制御部１６０１は、ＰＬＬ回路１６１４、１６１５から出力されたロック検出信号を受け取ってから、データ送信を開始する方法について説明したが、予め設定された時間だけ待機した後に、データ送信を開始するようにしてもよい。
図２０は、図１９の無線通信端末の変形例を示すブロック図である。
図２０において、受信部１６０４にて受信された受信信号の誤り率を検出する誤り率検出回路１７０１が設けられている。そして、図１９の制御部１６０１は、誤り率検出回路１７０１にて検出された誤り率に基づいてスロット長を設定することができる。例えば、誤り率検出回路１７０１は、特定の周波数の誤り率を監視し、制御部１６０１は、誤り率が悪い時にはすぐに次の周波数にホッピングするように局部発振器１６１７に指示することができる。これにより、誤り率の悪い周波数に留まる時間を短くすることができ、通信品質を向上させることができる。その場合、片方向の誤り率のみで判断しても良いし、もう片方の誤り率を制御部１６０１へフィードバックするように構成してもよい。また、誤り率だけでなく、ＲＳＳＩなどの電波の受信品質から判断するようにしてもよい。
【０１８８】
図２１は、本発明の第１２実施形態に係る無線通信端末の概略構成を示すブロック図である。
図２１において、第１筐体部Ｋ１５１には、制御部１８０１、周波数ホッピングパターンメモリ１８１６、変復調回路１８０２、局部発振器１８１７ａ、１８１７ｂ、ＰＬＬ回路１８１２、１８１３、送信部１８０３、受信部１８０４および内部無線通信用アンテナ１８０５、１８０６が設けられている。また、第２筐体部Ｋ１５２には、内部無線通信用アンテナ１８０７、１８０８、送信部１８０９、受信部１８１０、ＰＬＬ回路１８１４、１８１５、変復調回路１８１１および制御部１８１８が設けられている。ここで、局部発振器１８１７ａは、ＰＬＬ回路１８１３、１８１５の双方と有線にて接続され、局部発振器１８１７ｂは、ＰＬＬ回路１８１２、１８１４の双方と有線にて接続されている。
【０１８９】
そして、第１筐体部Ｋ１５１と第２筐体部Ｋ１５２との間で双方向通信を行う場合、制御部１８０１、１８１８は、送信データを変復調回路１８０２、１８１１にそれぞれ出力する。そして、制御部１８０１、１８１８から出力された送信データは変復調回路１８０２、１８１１にてそれぞれベースバンド信号に変換され、送信部１８０３、１８０９にそれぞれ送られる。
【０１９０】
また、制御部１８０１は、ホッピングパターンに含まれるホッピング周波数系列を周波数ホッピングパターンメモリ１８１６から読み出し、そのホッピング周波数系列を周波数指定信号として所定の周期で局部発振器１８１７ａ、１８１７ｂにそれぞれ送出する。そして、局部発振器１８１７ａ、１８１７ｂは、周波数指定信号で特定される周波数の局部発振信号を生成し、ＰＬＬ回路１８１３、１８１５およびＰＬＬ回路１８１２、１８１４に有線にて送出する。そして、ＰＬＬ回路１８１３、１８１５およびＰＬＬ回路１８１２、１８１４は、局部発振器１８１７ａ、１８１７ｂから局部発振信号をそれぞれ受け取ると、局部発振信号をそれぞれ逓倍する。そして、ＰＬＬ回路１８１３、１８１５は、送信部１８０３および受信部１８１０にキャリア信号をそれぞれ出力するとともに、ＰＬＬ回路１８１４、１８１２は、送信部１８０９および受信部１８０４にキャリア信号をそれぞれ出力する。
【０１９１】
そして、送信部１８０３、１８０９は、変復調回路１８０２、１８１１からそれぞれ出力されたベースバンド信号と、ＰＬＬ回路１８１３、１８１４からそれぞれ供給されたキャリア信号とを混合し、変復調回路１８０２、１８１１からそれぞれ出力されたベースバンド信号を搬送波に重畳させることにより、送信データのアップコンバートを行う。そして、変復調回路１８０２、１８１１からそれぞれ出力されたベースバンド信号が搬送波に重畳されると、内部無線通信用アンテナ１８０６、１８０９をそれぞれ介して送出される。そして、内部無線通信用アンテナ１８０６、１８０９を介して送信データがそれぞれ送信されると、その送信データが内部無線通信用アンテナ１８０７、１８０５を介してそれぞれ受信される。
【０１９２】
そして、内部無線通信用アンテナ１８０７、１８０５にて受信された受信信号は、受信部１８１０、１８０４にそれぞれ送られる。そして、受信部１８１０、１８０４は、内部無線通信用アンテナ１８０７、１８０５にてそれぞれ受信された受信信号と、ＰＬＬ回路１８１５、１８１２からそれぞれ供給された検波信号とを混合し、各受信信号のダウンコンバートを行う。そして、受信部１８１０、１８０４から出力された信号は、変復調回路１８１１、１８０２にそれぞれ送られ、変復調回路１８１１、１８０２にて復調処理がそれぞれ行われた後、制御部１８１８、１８０１を介して表示処理や記憶処理などの各種処理を施すことができる。
【０１９３】
ここで、周波数ホッピングパターンメモリ１８１６には、ホッピング周波数系列におけるホッピング周波数が互いに重ならないように設定されたホッピングパターンを格納することができる。そして、制御部１８０１は、周波数ホッピングパターンメモリ１８１６から読み出した特定のホッピングパターンを局部発振器１８１７ａに出力するとともに、局部発振器１８１７に出力されるホッピングパターンと異なるホッピングパターンを局部発振器１８１７ｂに出力することができる。
【０１９４】
これにより、送信部１８０３から送信される送信データと送信部１８０９から送信される送信データとが同一帯域で衝突することを回避させることを可能としつつ、局部発振器１８１７ａから出力された局部発振信号をＰＬＬ回路１８１３、１８１５で共有することが可能となるとともに、局部発振器１８１７ｂから出力された局部発振信号をＰＬＬ回路１８１２、１８１４で共有することが可能となる。このため、受信側でホッピングパターンに正しく同期できないような劣悪な通信環境においても、周波数ホッピング方式による双方向通信を安定して行わせることができる。また、初期同期捕捉を行うための機構が不要となることから、無線受信部の回路構成を簡略化することが可能となるとともに、同期を取る為のプリアンブルをなくすことで伝送効率を上げることができる。
【０１９５】
なお、上述した実施形態では、局部発振信号を逓倍するためにＰＬＬ回路を用いる方法について説明したが、ＤＬＬ（Ｄｅｌａｙ  Ｌｏｃｋｅｄ  Ｌｏｏｐ）回路を用いるようにしてもよい。
また、上述した実施形態では、無線通信データのスペクトルを拡散させるために、局部発振信号をホッピングさせる方法について説明したが、局部発振信号をチャーピングさせることにより、局部発振信号の周波数を連続的に変化させるようにしてもよい。これにより、周波数ホッピング方式と同様に他局からの干渉の影響を抑えるという効果が得られるとともに、周波数ホッピングのように一定期間ごとに急激に周波数を変える必要がなくなり、周波数を変える際の不要輻射を低減させて、ＥＭＣおよびＥＭＩの低減に効果がある。
【０１９６】
図２２は、本発明の第１３実施形態に係る無線通信端末の概略構成を示すブロック図である。
図２２において、第１筐体部Ｋ１６１には、第１筐体部Ｋ１６１と第２筐体部Ｋ１６２との間の通信処理全体を制御する制御部１９０１、周波数チャープパターンを記憶する周波数チャープパターンメモリ１９１２、制御部１９０１からの制御に従って周波数をチャーピングさせながら局部発振信号をＮ逓倍回路１９１４、１９１５に有線にて送出する局部発振器１９１３、送信データをベースバンド信号に変換する変調回路１９０２、局部発振器１９１３から有線にて送られた局部発振信号をＮ（Ｎは正の整数）逓倍することにより、キャリア信号を生成するＮ逓倍回路１９１４、Ｎ逓倍回路１９１４から出力された信号の不要な周波数成分を減衰させるバンドパスフィルタ１９１７、変調回路１９０２から出力されたベースバンド信号にＮ逓倍回路１９１４から出力されたキャリア信号を混合する混合器１９０３、混合器１９０３から出力された信号を増幅するアンプ１９０４および内部無線通信用電波の送信を第１筐体部Ｋ１６１側で行う内部無線通信用アンテナ１９０５が設けられている。
【０１９７】
また、第２筐体部Ｋ１６２には、内部無線通信用電波の受信を第２筐体部Ｋ１６２側で行う内部無線通信用アンテナ１９０６、内部無線通信用アンテナ１９０６にて受信された受信信号に含まれる不要な周波数成分を減衰させるバンドパスフィルタ１９０７、バンドパスフィルタ１９０７から出力された受信信号を増幅するローノイズアンプ１９０８、局部発振器１９１３から有線にて送られた局部発振信号をＮ逓倍することにより、検波信号を生成するＮ逓倍回路１９１５、Ｎ逓倍回路１９１５から出力された信号の不要な周波数成分を減衰させるバンドパスフィルタ１９１８、ローノイズアンプ１９０８から出力された受信信号にＮ逓倍回路１９１５から出力された検波信号を混合する混合器１９０９、混合器１９０９からの出力信号に含まれる不要な高周波成分を減衰させるローパスフィルタ１９１０、ローパスフィルタ１９１０から出力された受信信号の復調処理を行う復調回路１９１１および復調回路１９１１から出力された信号の処理を行う制御部１９１６が設けられている。
【０１９８】
図２３は、本発明の一実施形態に係る周波数チャープパターンの構成例を示す図である。
図２３において、周波数チャープパターンメモリ１９１２には、周波数を連続的に変化させるための周波数チャープパターンが記憶されている。
そして、図２２において、制御部１９０１が、送信データを変調回路１９０２に送ると、変調回路１９０２は送信データをベースバンド信号に変換し、混合器１９０３に出力する。また、制御部１９０１は、周波数チャープパターンを周波数チャープパターンメモリ１９１２から読み出し、その周波数チャープパターンで特定される周波数を指定するための制御信号を局部発振器１９１３に送出する。そして、局部発振器１９１３は、制御部１９０１から送られた制御信号で指定される周波数の局部発振信号を生成し、Ｎ逓倍回路１９１４、１９１５に有線にて送出する。そして、Ｎ逓倍回路１９１４、１９１５は、局部発振器１９１３から局部発振信号をそれぞれ受け取ると、局部発振信号をそれぞれＮ逓倍し、バンドパスフィルタ１９１７、１９１８にて不要な周波数成分を除去してから、混合器１９０３、１９０９にそれぞれ出力する。ここで、Ｎ逓倍回路１９１４、１９１５の逓倍数Ｎを固定することにより、Ｎ逓倍された高周波信号が安定するまでの時間をきわめて短くすることができる。
【０１９９】
そして、混合器１９０３は、変調回路１９０２から出力されたベースバンド信号と、Ｎ逓倍回路１９１４から供給された信号とを混合し、変調回路１９０２から出力されたベースバンド信号を搬送波に重畳させることにより、送信データのアップコンバートを行う。そして、変調回路１９０２から出力されたベースバンド信号が搬送波に重畳されると、アンプ１９０４にて増幅された後、内部無線通信用アンテナ１９０５を介して送出される。そして、内部無線通信用アンテナ１９０５を介して送信データが送信されると、その送信データが内部無線通信用アンテナ１９０６を介して受信される。
【０２００】
そして、内部無線通信用アンテナ１９０６を介して受信された受信信号は、バンドパスフィルタ１９０７にて不要な周波数成分が減衰された後、ローノイズアンプ１９０８にて増幅される。そして、ローノイズアンプ１９０８にて増幅された受信信号は、混合器１９０９に送られる。そして、混合器１９０９は、ローノイズアンプ１９０８から送られた受信信号と、Ｎ逓倍回路１９１５から供給された信号とを混合し、受信信号のダウンコンバートを行う。
【０２０１】
そして、混合器１９０９から出力された信号は、ローパスフィルタ１９１０にて不要な高周波成分が減衰された後、復調回路１９１１に送られる。そして、復調回路１９１１にて復調処理が行われた後、制御部１９１６を介して表示処理や記憶処理などの各種処理を施すことができる。
図２４は、本発明の第１４実施形態に係る無線通信方式を示す斜視図である。
【０２０２】
図２４において、実装基板２０００には半導体チップ２００１、２００２が実装され、半導体チップ２００１、２００２には集積回路がそれぞれ形成されている。なお、半導体チップ２００１、２００２を実装基板２０００上に実装する方法としては、フェースダウン実装またはフェースアップ実装のいずれでもよい。そして、半導体チップ２００１には、内部無線通信用アンテナ２００４が形成されるとともに、半導体チップ２００１、２００２間におけるデータ伝送を所定の周波数ホッピングシーケンスに従って内部無線通信にて行う内部無線通信制御部が搭載されている。また、半導体チップ２００２には、内部無線通信用アンテナ２００５が形成されるとともに、半導体チップ２００１、２００２間におけるデータ伝送を所定の周波数ホッピングシーケンスに従って内部無線通信にて行う内部無線通信制御部が搭載されている。さらに、実装基板２０００には、周波数ホッピングシーケンスに従って周波数ホッピングを行わせるための情報を半導体チップ２００１、２００２の双方に有線で送出する配線２００３が形成されている。なお、周波数ホッピングを行わせるための情報は半導体チップ２００１、２００２のいずれか一方に記憶することができ、配線２００３を介して他方の半導体チップ２００１、２００２に送信することにより、周波数ホッピングを行わせるための情報を双方の半導体チップ２００１、２００２にて共有することができる。
【０２０３】
そして、半導体チップ２００１、２００２間でデータ伝送を行う場合、周波数ホッピングを行わせるための情報を配線２００３を介して半導体チップ２００１、２００２間でやり取りしながら、内部無線通信用アンテナ２００４、２００５を介して半導体チップ２００１、２００２間で無線通信を行うことができる。
これにより、周波数ホッピングを行わせるための情報を無線で送ることなく、実装基板２０００上に実装された半導体チップ２００１、２００２間の無線通信を周波数ホッピング方式にて行わせることが可能となる。このため、実装基板２０００上に形成される配線数を減らすことが可能となるとともに、受信回路の簡略化を図りつつ、大量のデータのやり取りを半導体チップ２００１、２００２間で高速に行わせることが可能となる。
【０２０４】
なお、図２４の実施形態では、周波数ホッピングを行わせるための情報を半導体チップ２００１、２００２の双方に有線で送出する方法について説明したが、ホッピングまたはチャーピングにて周波数が変化する局部発振信号を半導体チップ２００１、２００２の双方に有線で送出するようにしてもよい。これにより、高速伝送の困難な信号群の伝送を無線により伝送し、送信データの高速化に伴う様々な問題を回避するとともに、無線伝送に必要な局部発振信号を有線で送信することで、無線化に伴うシステムの複雑化の回避ができる。
【０２０５】
図２５は、本発明の第１５実施形態に係る無線通信方式を示す斜視図である。
図２５において、実装基板２０１０には半導体モジュール２０１１、２０１２が実装され、半導体モジュール２０１１、２０１２には半導体チップ２０１４、２０１５などの電子部品がそれぞれ搭載されている。ここで、半導体チップ２０１４、２０１５には集積回路がそれぞれ形成されている。そして、半導体チップ２０１４には、内部無線通信用アンテナ２０１６が形成されるとともに、半導体モジュール２０１１、２０１２間におけるデータ伝送を所定の周波数ホッピングシーケンスに従って内部無線通信にて行う内部無線通信制御部が搭載されている。また、半導体チップ２０１５には、内部無線通信用アンテナ２０１７が形成されるとともに、半導体モジュール２０１１、２０１２間におけるデータ伝送を所定の周波数ホッピングシーケンスに従って内部無線通信にて行う内部無線通信制御部が搭載されている。さらに、実装基板２０１０には、周波数ホッピングシーケンスに従って周波数ホッピングを行わせるための情報を半導体チップ２０１４、２０１５の双方に有線で送出する配線２０１３が形成されている。なお、周波数ホッピングを行わせるための情報は半導体チップ２０１４、２０１５のいずれか一方に記憶することができ、配線２０１３を介して他方の半導体チップ２０１４、２０１５に送信することにより、周波数ホッピングを行わせるための情報を双方の半導体チップ２０１４、２０１５にて共有することができる。
【０２０６】
そして、半導体モジュール２０１１、２０１２間でデータ伝送を行う場合、周波数ホッピングを行わせるための情報を配線２０１３を介して半導体チップ２０１４、２０１５間でやり取りしながら、内部無線通信用アンテナ２０１６、２０１７を介して半導体チップ２０１４、２０１５間で無線通信を行うことができる。これにより、周波数ホッピングを行わせるための情報を無線で送ることなく、実装基板２０１０上に実装された半導体モジュール２０１１、２０１２間の無線通信を周波数ホッピング方式にて行わせることが可能となり、実装基板２０１０上に形成される配線数を減らすことが可能となる。
【０２０７】
なお、図２５の実施形態では、周波数ホッピングを行わせるための情報を半導体チップ２０１４、２０１５の双方に有線で送出する方法について説明したが、ホッピングまたはチャーピングにて周波数が変化する局部発振信号を半導体チップ２０１４、２０１５の双方に有線で送出するようにしてもよい。
図２６は、本発明の第１６実施形態に係る無線通信方式を示す斜視図である。
【０２０８】
図２６において、実装基板２０２６、２０２７には半導体チップ２０２１、２０２２がそれぞれ実装され、半導体チップ２０２１、２０２２には集積回路がそれぞれ形成されている。そして、実装基板２０２６、２０２７の端部は実装基板２０２０に接続され、実装基板２０２６、２０２７は実装基板２０２０にて支持されながら積層されている。そして、半導体チップ２０２１には、内部無線通信用アンテナ２０２４が形成されるとともに、実装基板２０２６、２０２７間におけるデータ伝送を所定の周波数ホッピングシーケンスに従って内部無線通信にて行う内部無線通信制御部が搭載されている。また、半導体チップ２０２２には、内部無線通信用アンテナ２０２５が形成されるとともに、実装基板２０２６、２０２７間におけるデータ伝送を所定の周波数ホッピングシーケンスに従って内部無線通信にて行う内部無線通信制御部が搭載されている。さらに、実装基板２０２０、２０２６、２０２７には、周波数ホッピングシーケンスに従って周波数ホッピングを行わせるための情報を半導体チップ２０２１、２０２２の双方に有線で送出する配線２０２３が形成されている。なお、周波数ホッピングを行わせるための情報は半導体チップ２０２１、２０２２のいずれか一方に記憶することができ、配線２０２３を介して他方の半導体チップ２０２１、２０２２に送信することにより、周波数ホッピングを行わせるための情報を双方の半導体チップ２０２１、２０２２にて共有することができる。
【０２０９】
そして、実装基板２０２０、２０２６、２０２７間でデータ伝送を行う場合、周波数ホッピングを行わせるための情報を配線２０２３を介して半導体チップ２０２１、２０２２間でやり取りしながら、内部無線通信用アンテナ２０２４、２０２５を介して半導体チップ２０２１、２０２２間で無線通信を行うことができる。これにより、周波数ホッピングを行わせるための情報を無線で送ることなく、半導体チップ２０２１、２０２２がそれぞれ実装された実装基板２０２６、２０２７間の無線通信を周波数ホッピング方式にて行わせることが可能となり、実装基板２０２０、２０２６、２０２７上に形成される配線数を減らすことが可能となる。
【０２１０】
なお、図２６の実施形態では、周波数ホッピングを行わせるための情報を半導体チップ２０２１、２０２２の双方に有線で送出する方法について説明したが、ホッピングまたはチャーピングにて周波数が変化する局部発振信号を半導体チップ２０２１、２０２２の双方に有線で送出するようにしてもよい。
図２７は、本発明の第１７実施形態に係る無線通信方式を従来例と比較して示す斜視図である。
【０２１１】
図２７（ａ）において、半導体チップ２０３４には回路ブロック２０３１、２０３２が形成され、回路ブロック２０３１、２０３２の周囲にはパッド電極２０３５が配置されている。そして、半導体チップ２０３４には、回路ブロック２０３１に対応して内部無線通信用アンテナ２０３６が形成されるとともに、回路ブロック２０３１、２０３２間におけるデータ伝送を所定の周波数ホッピングシーケンスに従って内部無線通信にて行う内部無線通信制御部が搭載されている。また、同一の半導体チップ２０３４には、回路ブロック２０３２に対応して内部無線通信用アンテナ２０３７が形成されるとともに、回路ブロック２０３１、２０３２間におけるデータ伝送を所定の周波数ホッピングシーケンスに従って内部無線通信にて行う内部無線通信制御部が搭載されている。さらに、半導体チップ２０３４には、周波数ホッピングシーケンスに従って周波数ホッピングを行わせるための情報を回路ブロック２０３１、２０３２の双方に有線で送出する配線２０３３が形成されている。なお、周波数ホッピングを行わせるための情報は回路ブロック２０３１、２０３２のいずれか一方に記憶することができ、配線２０３３を介して他方の回路ブロック２０３１、２０３２に送信することにより、周波数ホッピングを行わせるための情報を双方の回路ブロック２０３１、２０３２にて共有することができる。
【０２１２】
そして、回路ブロック２０３１、２０３２間でデータ伝送を行う場合、周波数ホッピングを行わせるための情報を配線２０３３を介して回路ブロック２０３１、２０３２間でやり取りしながら、内部無線通信用アンテナ２０３６、２０３７を介して回路ブロック２０３１、２０３２間で無線通信を行うことができる。これにより、周波数ホッピングを行わせるための情報を無線で送ることなく、同一の半導体チップ２０３４上に形成された回路ブロック２０３１、２０３２間の無線通信を周波数ホッピング方式にて行わせることが可能となり、半導体チップ２０３４上に形成される配線数を減らすことが可能となる。
【０２１３】
なお、図２７（ａ）の実施形態では、周波数ホッピングを行わせるための情報を回路ブロック２０３１、２３０２の双方に有線で送出する方法について説明したが、ホッピングまたはチャーピングにて周波数が変化する局部発振信号を回路ブロック２０３１、２３０２の双方に有線で送出するようにしてもよい。
一方、図２７（ｂ）において、半導体チップ２０４４には回路ブロック２０４１、２０４２が形成され、回路ブロック２０４１、２０４２の周囲にはパッド電極２０４５が配置されている。また、半導体チップ２０４４には、回路ブロック２０３１、２３０２間でデータ伝送を行うための配線２０４３が形成されている。
【０２１４】
そして、図２７（ｂ）の構成では、配線２０４３を介して回路ブロック２０４１、２０４２間で通信を行うことにより、回路ブロック２０４１、２０４２間でデータ伝送が行われる。このため、大量のデータを高速に回路ブロック２０４１、２０４２間で伝送するためには、配線２０４３の数が膨大になり、半導体チップ２０４４上における配線スペースの増大に対処する必要があるとともに、半導体チップ２０４４上で配線２０４３を引き回す必要があり、レイアウト設計が複雑化する。
【図面の簡単な説明】
【０２１５】
【図１】本発明の無線通信制御方法が適用されるクラムシェル型携帯電話を開いたときの状態を示す斜視図。
【図２】本発明の無線通信制御方法が適用されるクラムシェル型携帯電話を閉じたときの状態を示す斜視図。
【図３】本発明の無線通信制御方法が適用される回転式携帯電話の外観を示す斜視図。
【図４】本発明の第１実施形態に係る無線通信端末の概略構成を示すブロック図。
【図５】周波数ホッピングパターンの構成例を示す図。
【図６】本発明の第２実施形態に係る無線通信端末の概略構成を示すブロック図。
【図７】本発明の第３実施形態に係る無線通信端末の概略構成を示すブロック図。
【図８】図７のホッピングパターン制御部のその他の構成例を示すブロック図。
【図９】本発明の第４実施形態に係る無線通信端末の概略構成を示すブロック図。
【図１０】図９の無線通信端末の変形例を示すブロック図。
【図１１】本発明の第５実施形態に係る無線通信端末の概略構成を示すブロック図。
【図１２】図１１の無線通信端末の変形例を示すブロック図。
【図１３】本発明の第６実施形態に係る無線通信端末の概略構成を示すブロック図。
【図１４】本発明の第７実施形態に係る無線通信端末の概略構成を示すブロック図。
【図１５】本発明の第８実施形態に係る無線通信端末の概略構成を示すブロック図。
【図１６】本発明の第９実施形態に係る無線通信端末の概略構成を示すブロック図。
【図１７】本発明の第１０実施形態に係る無線通信端末の概略構成を示すブロック図。
【図１８】図１７のホッピングパターン制御部のその他の構成例を示すブロック図。
【図１９】本発明の第１１実施形態に係る無線通信端末の構成を示すブロック図。
【図２０】図１９の無線通信端末の変形例を示すブロック図。
【図２１】本発明の第１２実施形態に係る無線通信端末の構成を示すブロック図。
【図２２】本発明の第１３実施形態に係る無線通信端末の構成を示すブロック図。
【図２３】周波数チャープパターンの構成例を示す図。
【図２４】本発明の第１４実施形態に係る無線通信方式を示す斜視図。
【図２５】本発明の第１５実施形態に係る無線通信方式を示す斜視図。
【図２６】本発明の第１６実施形態に係る無線通信方式を示す斜視図。
【図２７】本発明の第１７実施形態に係る無線通信方式を示す斜視図。
【符号の説明】
【０２１６】
１、２１、K１１、K２１、K３１、K４１、K５１、K６１、K７１、K１１１、K１２１、K１３１、K１４１、K１５１、K１６１  第１筐体部、２、２２、K１２、K２２、K３２、K４２、K５２、K６２、K７２、K１１２、K１２２、K１３２、K１４２、K１５２、K１６２  第２筐体部、３、２３  ヒンジ、４、２４  操作ボタン、５、２５  マイク、６、２６  外部無線通信用アンテナ、７、１０、２７、３０、１０５、１０６、３０６、３０７、４０６、４０７、６０６、６０７、８０５、８０６、８０７、８０９、１００５、１００６、１１０５、１１０６、１２０５、１２０６、１３０６、１３０７、１４０６、１４０７、１６０６、１６０７、１８０５、１８０６、１８０７、１８０９、１９０５、１９０６、２００４、２００５、２０１６、２０１７、２０２４、２０２５、２０３６、２０３７  内部無線通信用アンテナ、８、１１、２８  表示体、９、２９  スピーカ、１２  撮像素子、１０１、１１６、３０１、３１８、４０１、４２２、６０１、６１８、８０１、８１８、１００１、１０１８、１１０１、１１１６、１２０１、１２１６、１３０１、１３１８、１４０１、１４２２、１６０１、１６１８、１８０１、１８１８、１９０１、１９１８、１９０１、１９１６  制御部、１０２、１００２、１１０２、１２０２、１９０２  変調回路、１０３、１０９、１００３、１００９、１１０３、１１０９、１２０３、１２０９、１９０３、１９０９  混合器、１０４、１００４、１１０４、１２０４、１９０４  アンプ、１０７、１００７、１１０７、１２０７、１９０７、１９１７、１９１８  バンドパスフィルタ、１０８、１００８、１１０８、１２０８、１９０８  ローノイズアンプ、１１０、１０１０、１１１０、１２１０、１９１０  ローパスフィルタ、１１１、１０１１、１１１１、１２１１、１９１１  復調回路、１１２、３１６、４１９、６１６、８１６、１０１２、１０１７、１２１２、１３１６、１４１９、１６１６、１８１６、１９１２  周波数ホッピングパターンメモリ、１１３、３１７、４２０、６１７、８１７、１０１３、１０１６、１１１４、１１１５  ホッピング制御装置、１１４、１１５、３１４、３１５、４１５、４１６、６１４、６１５、１０１４、１０１５、１１１２、１１１３  周波数シンセサイザ、３０２、３１１、４０２、４１１、６０２、６１１、８０２、８１１、８１２、８１３、８１４、８１５、１３０２、１３１１、１４０２、１４１１、１６０２、１６１１、１８０２、１８１１、１８１２、１８１３、１８１４、１８１５  変復調回路、３０３、３０９、４０３、４０９、６０３、６０９、８０３、８０９、１３０３、１３０９、１４０３、１４０９、１６０３、１６０９、１８０３、１８０９  送信部、３０４、３１０、４０４、４１０、６０４、６１０、８０４、８１０、１３０４、１３１０、１４０４、１４１０、１６０４、１６１０、１８０４、１８１０  受信部、３０５、３０８、３１２、３１３、４０５、４０８、４１２、４１３、６０５、６０８、６１２、６１３、１３０５、１３０８、１３１２、１３１３、１４０５、１４０８、１４１２、１４１３、１６０５、１６０８、１６１２、１６１３  スイッチ、４１４、４１６、７０１、１４１４、１４１６、１７０１  誤り率検出回路、４１８、１４１８  周波数ホッピングパターン更新装置、４２１、４２２、１４２１、１４２２  ホッピングパターン制御部、５０１、９０１、１５０１  ホッピングパターン生成回路、５０２、１５０２  周波数ホッピングパターン決定回路、９０２  遅延素子、１２１３、１３１７、１４２０、１６１７、１８１７、１９１３  局部発振器、１２１４、１２１５、１３１４、１３１５、１４１５、１４１６、１６１４、１６１５  ＰＬＬ回路、１９１４、１９１５  Ｎ逓倍回路、２００１、２００２、２０１４、２０１５、２０２１、２０２２、２０３４  半導体チップ、２００３、２０１３、２０２３、２０３３  配線、２０００、２０１０、２０２０、２０２６、２０２７  実装基板、２０１１、２０１２  モジュール、２０３１、２０３２  回路ブロック、２０３５  パッド電極
【図１】
2006180453.tif 000003
【図２】
2006180453.tif 000004
【図３】
2006180453.tif 000005
【図４】
2006180453.tif 000006
【図５】
2006180453.tif 000007
【図６】
2006180453.tif 000008
【図７】
2006180453.tif 000009
【図８】
2006180453.tif 000010
【図９】
2006180453.tif 000011
【図１０】
2006180453.tif 000012
【図１１】
2006180453.tif 000013
【図１２】
2006180453.tif 000014
【図１３】
2006180453.tif 000015
【図１４】
2006180453.tif 000016
【図１５】
2006180453.tif 000017
【図１６】
2006180453.tif 000018
【図１７】
2006180453.tif 000019
【図１８】
2006180453.tif 000020
【図１９】
2006180453.tif 000021
【図２０】
2006180453.tif 000022
【図２１】
2006180453.tif 000023
【図２２】
2006180453.tif 000024
【図２３】
2006180453.tif 000025
【図２４】
2006180453.tif 000026
【図２５】
2006180453.tif 000027
【図２６】
2006180453.tif 000028
【図２７】
2006180453.tif 000029
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
局部発振信号を生成する局部発振器と、
前記局部発振信号の供給を受けながら無線通信データの送信処理を行う無線送信部と、
前記局部発振信号の供給を受けながら、前記無線送信部より送信された無線通信データの受信処理を行う無線受信部と、
前記局部発振信号を前記無線送信部および前記無線受信部に有線にて供給する有線部とを備えることを特徴とする無線通信端末。
【請求項２】
前記局部発振器にて生成される局部発振信号の周波数を制御する周波数制御部をさらに備えることを特徴とする請求項２記載の無線通信端末。
【請求項３】
局部発振信号の供給を受けながら無線通信データの送信処理を行う無線送信部と、
前記局部発振信号の供給を受けながら、前記無線送信部より送信された無線通信データの受信処理を行う無線受信部と、
前記局部発振信号を生成する局部発振器と、
前記局部発振器にて生成される局部発振信号の周波数のホッピングまたはチャーピングを行わせる制御部と、
前記ホッピングまたはチャーピングにて周波数が変化する局部発振信号を前記無線送信部および前記無線受信部に有線にて供給する有線部とを備えることを特徴とする無線通信端末。
【請求項４】
前記無線送信部は、
前記局部発振信号の周波数を逓倍することにより第１キャリア信号を生成する第１周波数逓倍回路と、
前記第１キャリア信号をベースバンド信号に混合することにより、前記ベースバンド信号のアップコンバートを行う第１混合器とを備え、
前記無線受信部は、
前記局部発振信号の周波数を逓倍することにより検波信号を生成する第２周波数逓倍回路と、
前記検波信号を受信信号に混合することにより、前記受信信号のダウンコンバートを行う第２混合器とを備えることを特徴とする請求項３記載の無線通信端末。
【請求項５】
前記無線受信部にて受信された受信データの誤り率を検出する誤り率検出部をさらに備え、
前記制御部は、前記誤り率検出部にて検出された誤り率に基づいて、通信時のホッピング周波数またはチャーピング周波数を変更することを特徴とする請求項３または４記載の無線通信端末。
【請求項６】
前記無線送信部および前記無線受信部は、同一半導体チップ内、同一プリント基板上または同一筐体内または同一モジュール内または同一パッケージ内または一体的に使用される機器内に配置されていることを特徴とする請求項１から５のいずれか１項記載の無線通信端末。
【請求項７】
第１局部発振信号の供給を受けながら無線通信データの送信処理を行う第１無線送信部と、
前記第１局部発振信号の供給を受けながら無線通信データの受信処理を行う第１無線受信部と、
前記第１局部発振信号を生成する第１局部発振器と、
第２局部発振信号の供給を受けながら無線通信データの送信処理を行う第２無線送信部と、
前記第２局部発振信号の供給を受けながら無線通信データの受信処理を行う第２無線受信部と、
前記第２局部発振信号を生成する第２局部発振器と、
前記第１および第２局部発振器から出力される周波数が互いに重ならないように、前記第１および第２局部発振器にてそれぞれ生成される第１および第２局部発振信号の周波数のホッピングまたはチャーピングを行わせる制御部と、
前記ホッピングまたはチャーピングにて周波数が変化する第１局部発振信号を前記第１無線送信部および前記第１無線受信部に有線にて供給する第１有線部と、
前記ホッピングまたはチャーピングにて周波数が変化する第２局部発振信号を前記第２無線送信部および前記第２無線受信部に有線にて供給する第２有線部とを備えることを特徴とする無線通信端末。
【請求項８】
前記第１無線受信部および前記第２無線受信部のいずれか少なくとも一方にて受信された受信データの誤り率を検出する誤り率検出部をさらに備え、
前記制御部は、前記誤り率検出部にて検出された誤り率に基づいて、通信時のホッピング周波数またはチャーピング周波数を変更することを特徴とする請求項７記載の無線通信端末。 
【請求項９】
データ通信のデータ量に基づいてスロット長を設定するスロット長設定部をさらに備え、
前記制御部は、前記スロット長設定部にて設定されたスロット長に基づいて、通信時のホッピング周波数またはチャーピング周波数を変更することを特徴とする請求項７または８記載の無線通信端末。
【請求項１０】
前記第１および第２無線送信部ならびに前記第１および第２無線受信部は、同一半導体チップ内、同一プリント基板上または同一筐体内または同一モジュール内または同一パッケージ内または一体的に使用される機器内に配置されていることを特徴とする請求項７から９のいずれか１項記載の無線通信端末。
【請求項１１】
第１筐体部と、
前記第１筐体部に連結された第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、前記外部無線通信用アンテナを介して行われる外部無線通信の制御を主として司る外部無線通信制御部と、
前記第２筐体部に搭載された表示部と、
前記第１筐体部に搭載された第１の内部無線通信用アンテナと、
前記第２筐体部に搭載された第２の内部無線通信用アンテナと、
前記第１筐体部に搭載され、所定の周波数ホッピングシーケンスに従って内部無線通信処理を行う第１の内部無線通信制御部と、
前記第２筐体部に搭載され、所定の周波数ホッピングシーケンスに従って内部無線通信処理を行う第２の内部無線通信制御部と、
前記周波数ホッピングシーケンスに従って周波数ホッピングを行わせるための情報を前記第１および第２の内部無線通信制御部の双方に有線で送出するホッピング制御部とを備えることを特徴とする無線通信端末。
【請求項１２】
第１筐体部と、
前記第１筐体部に連結された第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、前記外部無線通信用アンテナを介して行われる外部無線通信の制御を主として司る外部無線通信制御部と、
前記第２筐体部に搭載された表示部と、
前記第１筐体部に搭載された第１の内部無線通信用アンテナと、
前記第２筐体部に搭載された第２の内部無線通信用アンテナと、
前記第１筐体部に搭載され、局部発振信号の供給を受けながら内部無線通信処理を行う第１の内部無線通信制御部と、
前記第２筐体部に搭載され、前記局部発振信号の供給を受けながら内部無線通信処理を行う第２の内部無線通信制御部と、
前記局部発振信号を生成する局部発振器と、
前記局部発振器にて生成される局部発振信号の周波数のホッピングまたはチャーピングを行わせる制御部と、
前記ホッピングまたはチャーピングにて周波数が変化する局部発振信号を前記第１および第２の内部無線通信制御部の双方に有線にて供給する有線部とを備えることを特徴とする無線通信端末。
【請求項１３】
同一半導体チップに形成された第１および第２回路ブロックと、
前記第１回路ブロックに対応して前記半導体チップに形成された第１の内部無線通信用アンテナと、
前記第２回路ブロックに対応して前記半導体チップに形成された第２の内部無線通信用アンテナと、 
局部発振信号を生成する局部発振器と、
前記局部発振器にて生成される局部発振信号の周波数のホッピングまたはチャーピングを行わせる周波数制御部と、
前記第１回路ブロックに対応して前記半導体チップに搭載され、前記周波数制御部にて周波数が制御された局部発振信号の供給を有線にて受けながら、前記第１および第２回路ブロック間におけるデータ伝送を内部無線通信にて行う第１の内部無線通信制御部と、
前記第２回路ブロックに対応して前記半導体チップに搭載され、前記周波数制御部にて周波数が制御された局部発振信号の供給を有線にて受けながら、前記第１および第２回路ブロック間におけるデータ伝送を内部無線通信にて行う第２の内部無線通信制御部とを備えることを特徴とする無線通信端末。
【請求項１４】
実装基板上に実装された第１および第２半導体チップと、
前記第１半導体チップに形成された第１の内部無線通信用アンテナと、
前記第２半導体チップに形成された第２の内部無線通信用アンテナと、
局部発振信号を生成する局部発振器と、
前記局部発振器にて生成される局部発振信号の周波数のホッピングまたはチャーピングを行わせる周波数制御部と、
前記第１半導体チップに搭載され、前記周波数制御部にて周波数が制御された局部発振信号の供給を有線にて受けながら、前記第１および第２半導体チップ間におけるデータ伝送を内部無線通信にて行う第１の内部無線通信制御部と、
前記第２半導体チップに搭載され、前記周波数制御部にて周波数が制御された局部発振信号の供給を有線にて受けながら、前記第１および第２半導体チップ間におけるデータ伝送を内部無線通信にて行う第２の内部無線通信制御部とを備えることを特徴とする無線通信端末。
【請求項１５】
第１半導体チップが実装された第１実装基板と、
第２半導体チップが実装された第２実装基板と、
前記第１実装基板上に形成され、前記第１半導体チップに接続された第１の内部無線通信用アンテナと、
前記第２実装基板上に形成され、前記第２半導体チップに接続された第２の内部無線通信用アンテナと、
局部発振信号を生成する局部発振器と、
前記局部発振器にて生成される局部発振信号の周波数のホッピングまたはチャーピングを行わせる周波数制御部と、
前記第１半導体チップに搭載され、前記周波数制御部にて周波数が制御された局部発振信号の供給を有線にて受けながら、前記第１および第２実装基板間におけるデータ伝送を内部無線通信にて行う第１の内部無線通信制御部と、
前記第２半導体チップに搭載され、前記周波数制御部にて周波数が制御された局部発振信号の供給を有線にて受けながら、前記第１および第２実装基板間におけるデータ伝送を内部無線通信にて行う第２の内部無線通信制御部とを備えることを特徴とする無線通信端末。
【請求項１６】
ホッピングまたはチャーピングにて周波数が変化する局部発振信号を送信側と受信側の双方に有線にて供給しながら、周波数ホッピング方式または周波数チャーピング方式の無線通信を前記送信側と前記受信側との間で行わせることを特徴とする無線通信制御方法。
【手続補正２】
【補正対象書類名】明細書
【補正対象項目名】００２３
【補正方法】変更
【補正の内容】
【００２３】
また、本発明の一態様に係る無線通信端末によれば、局部発振信号を生成する局部発振器と、前記局部発振信号の供給を受けながら、前記無線送信部より送信された無線通信データの送信処理を行う無線送信部と、前記局部発振信号の供給を受けながら無線通信データの受信処理を行う無線受信部と、前記局部発振信号を前記無線送信部および前記無線受信部に有線にて供給する有線部とを備えることを特徴とする。
【手続補正３】
【補正対象書類名】明細書
【補正対象項目名】００２６
【補正方法】変更
【補正の内容】
【００２６】
また、本発明の一態様に係る無線通信端末によれば、局部発振信号の供給を受けながら無線通信データの送信処理を行う無線送信部と、前記局部発振信号の供給を受けながら、前記無線送信部より送信された無線通信データの受信処理を行う無線受信部と、前記局部発振信号を生成する局部発振器と、前記局部発振器にて生成される局部発振信号の周波数のホッピングまたはチャーピングを行わせる制御部と、前記ホッピングまたはチャーピングにて周波数が変化する局部発振信号を前記無線送信部および前記無線受信部に有線にて供給する有線部とを備えることを特徴とする。